(57)【特許請求の範囲】
【請求項１】
ネットワークエンティティによるワイヤレス通信の方法であって、
ユーザ機器（ＵＥ）の識別（ＩＤ）に基づいて前記ＵＥをページングするための少なくとも１つのページングハイパーフレームを決定することと、前記ページングハイパーフレームは、各々が多数の無線フレームにまたがる周期的に生じるハイパーフレームのセットから決定される、
前記ＵＥのページング応答ウィンドウの期間においてより頻繁に前記ＵＥをページングして、前記ＵＥのページング応答ウィンドウ外の期間においてより頻度の少ないページングをすることをトラッキングエリア内の複数の基地局（ＢＳｓ）のうちの１つまたは複数に要求することと、ここにおいて前記ページング応答ウィンドウは、少なくとも１つのページングハイパーフレームが前記複数の基地局の各々について生じる時間ウィンドウである、
を備え、
前記ＵＥがページに応答したと決定することと、
前記ＵＥが前記ページに応答したと決定することに応答して、ある期間中に、前記ＵＥをページングすることを前記複数の基地局（ＢＳｓ）のうちの１つまたは複数に要求することを控えることと
を備えることによって特徴付けられる、ワイヤレス通信の方法。
【請求項２】
前記ページングハイパーフレームはまた、前記ＵＥの拡張された不連続受信（ｅＤＲＸ）の期間に基づいて決定される、請求項１の方法。
【請求項３】
前記少なくとも１つのページングハイパーフレームは、各々が前記ｅＤＲＸの期間に基づいて決定される、複数のページングハイパーフレームを備える、請求項１の方法。
【請求項４】
前記ＵＥからのページング応答を検出した後で前記ＵＥのページングをキャンセルするための要求を前記複数の基地局のうちの１つまたは複数に送信することをさらに備える、請求項１の方法。
【請求項５】
前記ＵＥに関するハイパーフレームをページングすることは、少なくとも前記トラッキングエリア内で前記ＵＥがキャンピングしている基地局とは無関係である、請求項１の方法。
【請求項６】
前記ＵＥがある期間内にさらなるページに応答しなかったと決定することと、
前記複数の基地局（ＢＳｓ）のうちの１つまたは複数に前記ページングハイパーフレームの外部で前記ＵＥをページングすることを指示すること、をさらに備える、請求項１の方法。
【請求項７】
前記ＵＥが前記ページに応当したと決定することに応答して、前記期間のタイマーを開始することをさらに備える、請求項１の方法。
【請求項８】
前記決定に基づいて前記複数の基地局のうちの１つまたは複数に前記ＵＥに関するページングキャンセルを送信することをさらに備える請求項１の方法。
【請求項９】
ページに含まれるべきタグ番号を決定すること、ここにおいて前記要求することは、前記タグ番号を前記複数の基地局のうちの１つまたは複数に送信することを備える、
をさらに備える、請求項１の方法。
【請求項１０】
ユーザ機器（ＵＥ）の識別（ＩＤ）に基づいて前記ＵＥをページングするための少なくとも１つのページングハイパーフレームを決定する手段と、前記ページングハイパーフレームは、各々が多数の無線フレームにまたがる周期的に生じるハイパーフレームのセットから決定される、
前記ＵＥのページング応答ウィンドウの期間においてより頻繁に前記ＵＥをページングして、前記ＵＥのページング応答ウィンドウ外の期間においてより頻度の少ないページングをすることをトラッキングエリア内の複数の基地局（ＢＳｓ）のうちの１つまたは複数に要求する手段と、ここにおいて前記ページング応答ウィンドウは、少なくとも１つのページングハイパーフレームが前記複数の基地局の各々について生じる時間ウィンドウである、
を備え、
前記ＵＥがページに応答したと決定する手段と、
前記ＵＥが前記ページに応答したと決定することに応答して、ある期間中に、前記ＵＥをページングすることを前記複数の基地局（ＢＳｓ）のうちの１つまたは複数に要求することを控える手段と
を備えることによって特徴付けられる、ワイヤレス通信に関する装置。
【請求項１１】
ユーザ機器（ＵＥ）の識別（ＩＤ）に基づいて前記ＵＥをページングするための少なくとも１つのページングハイパーフレームを決定し、前記ページングハイパーフレームは、各々が多数の無線フレームにまたがる周期的に生じるハイパーフレームのセットから決定される、
前記ＵＥのページング応答ウィンドウの期間においてより頻繁に前記ＵＥをページングして、前記ＵＥのページング応答ウィンドウ外の期間においてより頻度の少ないページングをすることをトラッキングエリア内の複数の基地局（ＢＳｓ）のうちの１つまたは複数に要求する  ためのコンピュータ実行可能命令を備え、
、ここにおいて前記ページング応答ウィンドウは、少なくとも１つのページングハイパーフレームが前記複数の基地局の各々について生じる時間ウィンドウである、
前記ＵＥがページに応答したと決定し、
前記ＵＥが前記ページに応答したと決定することに応答して、ある期間中に、前記ＵＥをページングすることを前記複数の基地局（ＢＳｓ）のうちの１つまたは複数に要求することを控える、
ためのコンピュータ実行可能命令を備えることによって特徴付けられる、コンピュータ可読記憶媒体。
【発明の詳細な説明】
【関連出願の相互参照】
【０００１】
[0001]本特許出願は２０１５年５月４日に出願された米国仮出願第６２／１５６，８７７号、２０１５年５月５日に出願された米国仮出願第６２／１５７，４１８号、２０１５年５月１３日に出願された米国仮出願第６２／１６１，１４０号、２０１５年８月２１日に出願された米国仮出願第６２／２０８，５１１号、および２０１６年３月２２日に出願された米国特許第１５／０７７，８５５号の優先権を主張し、これらの全てが本願の譲り受け人に譲渡されそれらの全体においてここに参照することにより明示的に組み込まれる。
【技術分野】
【０００２】
[0002]本開示のある態様は、一般にワイヤレス通信に関し、より具体的には、拡張された不連続受信（ｅＤＲＸ）で動作するデバイスをページングするための技法に関する。
【背景技術】
【０００３】
[0003]ワイヤレス通信システムは音声、データ等のようなさまざまなタイプの通信コンテンツを提供するために広く展開されている。これらのシステムは利用可能なシステムリソース（例えば、帯域幅および送信電力）を共有することにより複数のユーザとの通信をサポートすることができる多元アクセスシステムであり得る。そのような多元アクセスシステムの例は符号分割多元アクセス（ＣＤＭＡ）システム、時分割多元アクセス（ＴＤＭＡ）システム、周波数分割多元アクセス（ＦＤＭＡ）、ＬＴＥ（登録商標）アドバンストシステムを含む第３世代パートナーシッププロジェクト（３ＧＰＰ(登録商標)）ロングタームイボリューション(ＬＴＥ)、および直交周波数分割多元アクセス（OFDMA）システムを含む。
【０００４】
[0004]一般に、ワイヤレス多元接続通信システムは、複数のワイヤレス端末のための通信を同時にサポートすることができる。各端末は、順方向および逆方向リンク上の送信を介して１つまたは複数の基地局と通信する。順方向リンク（すなわちダウンリンク）は、基地局から端末への通信リンクを指し、逆方向リンク（すなわちアップリンク）は、端末から基地局への通信リンクを指す。この通信リンクは、単一入力単一出力、多入力単一出力、または多入力多出力（ＭＩＭＯ）システムを介して確立され得る。
【０００５】
[0005]ワイヤレス通信ネットワークは、多数のワイヤレスデバイスのための通信をサポートすることができる多数の基地局を含み得る。ワイヤレスデバイスは、ユーザ機器（ＵＥ）を含み得る。ＵＥのいくつかの例は、セルラフォン、スマートフォン、パーソナルデジタルアシスタンツ（ＰＤＡ）、ワイヤレスモデム、ハンドヘルドデバイス、タブレット、ラップトップコンピュータ、ノートブック、スマートブック、ウルトラブック、ゲーミングデバイス、ナビゲーションデバイス、バーチャルリアリティデバイス、ウエアラブルデバイス（例えば、スマートグラス／ゴーグル／ヘッドアップディスプレイ(smart glasses/goggles/heads-up displays)、スマートウォッチ、スマートリストバンド）等を含み得る。いくつかのＵＥｓはマシンタイプ通信（ＭＴＣ）ＵＥｓであると考えることができ、基地局、別のリモートデバイスまたはいくつかの他のエンティティと通信することができるセンサ、メータ(meters)、モニタ、ロケーションタグ、ドローン、トラッカ(trackers)、ロボット等のようなリモートデバイスを含み得る。マシンタイプ通信（ＭＴＣ）は通信の少なくとも一端で少なくとも１つのリモートデバイスを含む通信に言及することができ、必ずしも人間の相互作用を必要としない１つまたは複数のエンティティを含むデータ通信の形態を含むことができる。ＭＴＣ  ＵＥｓは、ＭＴＣサーバとＭＴＣ通信を行うことができおよび／または例えば、パブリックランドモバイルネットワーク（ＰＬＭＮ）を介した他のＭＴＣデバイスと通信を行うことができるＵＥｓを含むことができる。
【０００６】
[0006]低頻度の通信でデバイスの性能を改良するために、拡張された不連続受信に関する技法が望まれる。
【発明の概要】
【０００７】
[0007]本開示のシステム、方法、およびデバイスは各々、いくつかの態様を有し、これらのうちのいずれも、その望ましい属性を単独で担うものではない。後続する特許請求の範囲によって表されるこの開示の範囲を限定することなしに、ここでいくつかの特徴が簡潔に論述される。本論述を考慮した後、特に「詳細な説明」と題されたセクションを読んだ後、当業者は、この開示の特徴がワイヤレスネットワーク内におけるアクセスポイントと局との間での改善された通信を含む利点をどのように提供するかを理解するであろう。
【０００８】
[0008]本開示のある特定の態様は、基地局（ＢＳ）によるワイヤレス通信のための方法を提供する。この方法は一般にＵＥの識別（ＩＤ）に基づいてユーザ機器（ＵＥ）をページングするための少なくとも１つのページングハイパーフレームを決定することと、ここで、ページングハイパーフレームは各々が多数の無線フレームにまたがる(span)周期的に生じるハイパーフレームのセットから決定される、ＵＥをページするためのリクエストを受信することと、ページングハイパーフレームの無線フレーム内の少なくとも１つのサブフレームでＵＥにページング信号を送信することとを含む。
【０００９】
[0009]本開示のある特定の態様は、ユーザ機器（ＵＥ）によるワイヤレス通信のための方法を提供する。この方法は一般に、ＵＥの識別（ＩＤ）に基づいて基地局（ＢＳ）からのページング信号をモニタリングするための少なくとも１つのページングハイパーフレームを決定することと、ここで、ページングハイパーフレームは各々が多数の無線フレームにまたがる周期的に生じるハイパーフレームのセットから決定される、およびページングハイパーフレームの無線フレーム内の少なくとも１つのサブフレームでページング信号をモニタリングすることを含む。
【００１０】
[0010]本開示のある態様は、ネットワークエンティティによるワイヤレス通信のための方法を提供する。この方法は一般に、ＵＥの識別（ＩＤ）に基づいてユーザ機器（ＵＥ）をページングするための少なくとも１つのページングハイパーフレームを決定することと、ここで、ページングハイパーフレームは各々が多数の無線フレームにまたがる周期的に生じるハイパーフレームのセットから決定される、およびページングハイパーフレームが生じると他の時刻の場合と異ならせて前記ＵＥをページするように１つまたは複数の基地局（ＢＳｓ）に要求することを含む。
【００１１】
[0011]本開示のある態様は、ワイヤレス通信のための装置を提供する。装置は、一般にＵＥの識別（ＩＤ）に基づいてユーザ機器（ＵＥ）をページングするための少なくとも１つのページングハイパーフレームを決定するための手段と、ここで、ページングハイパーフレームは各々が多数の無線フレームにまたがる周期的に生じるハイパーフレームのセットから決定される、ＵＥをページするためのリクエストを受信する手段と、およびページングハイパーフレームの無線フレーム内の少なくとも１つのサブフレームでＵＥへページング信号を送信するための手段とを含む。
【００１２】
[0012]本開示のある態様は、ワイヤレス通信のための装置を提供する。装置は、一般に、ＵＥの識別（ＩＤ）に基づいて基地局（ＢＳ）からページング信号をモニタリングするための少なくとも１つのページングハイパーフレームを決定する手段と、ここで、ページングハイパーフレームは各々が多数の無線フレームにまたがる周期的に生じるハイパーフレームのセットから決定される、およびページングハイパーフレームの無線フレームの少なくとも１つのサブフレーム内のページング信号をモニタリングするための手段とを含む。
【００１３】
[0013]本開示のある態様は、ワイヤレス通信のための装置を提供する。この装置は一般にＵＥの識別（ＩＤ）に基づいてユーザ機器（ＵＥ）をページングするための少なくとも１つのページングハイパーフレームを決定する手段と、ここでページングハイパーフレームは各々が多数の無線フレームにまたがる周期的に生じるハイパーフレームのセットから決定される、およびページングハイパーフレームが生じると他の時刻の場合と異ならせてＵＥをページするように１つまたは複数の基地局（ＢＳｓ）に要求する手段を含む。
【００１４】
[0014]本開示のある特定の態様は、基地局（ＢＳ）を提供する。ＢＳは一般に、少なくとも１つのアンテナと、ＵＥの識別（ＩＤ）に基づいてユーザ機器（ＵＥ）をページングするための少なくとも１つのページングハイパーフレームを決定し、ここで、ページングハイパーフレームは各々が多数の無線フレームにまたがる周期的に生じるハイパーフレームのセットから決定される、ＵＥをページするための要求を受信し、およびページングハイパーフレームの無線フレーム内の少なくとも１つのサブフレームでＵＥにページング信号を送信するように構成された少なくとも１つのプロセッサを含む。
【００１５】
[0015]本開示のある特定の態様は、ユーザ機器（ＵＥ）を提供する。ＵＥは一般に少なくとも１つのアンテナと、ＵＥの識別（ＩＤ）に基づいて基地局（ＢＳ）からのページング信号をモニタリングするための少なくとも１つのページングハイパーフレームを決定し、ここで、ページングハイパーフレームは各々が多数の無線フレームにまたがる周期的に生じるハイパーフレームのセットから決定される、およびページングハイパーフレームの無線フレーム内の少なくとも１つのサブフレームでページング信号をモニタするように構成された少なくとも１つのプロセッサとを含む。
【００１６】
[0016]本開示のある特定の態様は、ネットワークエンティティを提供する。ネットワークエンティティは、一般に少なくとも１つのネットワークインタフェースと、ＵＥの識別（ＩＤ）に基づいてユーザ機器（ＵＥ）をページングするための少なくとも１つのページングハイパーフレームを決定し、ここで、ページングハイパーフレームは各々が多数の無線フレームにまたがる周期的に生じるハイパーフレームのセットから決定される、およびページングハイパーフレームが生じると他の時刻の場合と異ならせてＵＥをページするように１つまたは複数の基地局（ＢＳｓ）に要求するように構成されたプロセッサを含む。
【００１７】
[0017]本開示のある特定の態様は、コンピュータ可読媒体を提供する。コンピュータ可読媒体は、一般にＵＥの識別（ＩＤ）に基づいてユーザ機器（ＵＥ）をページングする少なくとも１つのページングハイパーフレームを決定するための命令と、ここで、ページングハイパーフレームは各々が多数の無線フレームにまたがる周期的に生じるハイパーフレームのセットから決定される、およびページングハイパーフレームの無線フレーム内の少なくとも１つのサブフレームでＵＥにページング信号を送信するための命令を含む。
【００１８】
[0018]本開示のある特定の態様は、コンピュータ可読媒体を提供する。コンピュータ可読媒体は、一般に、ＵＥの識別（ＩＤ）に基づいて基地局（ＢＳ）からページング信号をモニタリングするために少なくとも１つのページングハイパーフレームを決定する命令と、ここで、ページングハイパーフレームは各々が多数の無線フレームにまたがる周期的に生じるハイパーフレームのセットから決定される、およびページングハイパーフレームの無線フレーム内の少なくとも１つのサブフレームでページング信号をモニタリングする命令を含む。
【００１９】
[0019]本開示のある特定の態様は、コンピュータ可読媒体を提供する。コンピュータ可読媒体は、一般にＵＥの識別(ＩＤ)に基づいてユーザ機器（ＵＥ）をページングするために少なくとも１つのページングハイパーフレームを決定する命令と、ここで、ページングハイパーフレームは各々が多数の無線フレームにまたがる周期的に生じるハイパーフレームのセットから決定される、およびページングハイパーフレームが生じると、他の時刻の場合と異ならせてＵＥをページするように１つまたは複数の基地局（ＢＳＳ）に要求する命令とを含む。
【００２０】
[0020]方法、装置、システム、コンピュータプログラム製品、および処理システムを含む、数多くの他の態様が提供される。
【図面の簡単な説明】
【００２１】
[0021]本開示の上述された特徴が詳細に理解できるように、上記で簡潔に要約されたより特定の説明は、態様への参照によりなされることがあり得、それらのうちのいくつかは、添付された図面内において例示される。しかしながら、添付した図面は、本開示のある典型的な態様のみを図示しており、それゆえ、その範囲を限定するものとして考えられるものではなく、説明のために、他の同等に効果的な態様を認めてもよいことに留意すべきである。
【図１】[0022]図１は本開示のある態様に従う、無線通信ネットワークの一例を概念的に図示するブロック図である。
【図２】[0023]  図２は、本開示のある態様に従った、ワイヤレス通信ネットワークにおいてユーザ機器（ＵＥ）と通信している基地局の例を概念的に図示するブロック図を示す。
【図３】[0024]図３は本開示のある態様にしたがってワイヤレス通信ネットワーク内におけるフレーム構造の例を概念的に例示するブロック図である。
【図４】[0025]図４は、本開示のある態様に従った、ノーマルサイクリックプリフィックスを有した２つの例示サブフレームフォーマットを概念的に図示するブロック図である。
【図５】[0026]図５は、本開示のある態様にしたがった、実例的なワイヤレス通信システムを例示する図。
【図６】[0027]図６は本開示のある態様に従う、ｅＤＲＸで動作するＵＥｓをサポートするｅＮＢｓの例示タイムラインを図示する。
【図７】[0028]図７は本開示のある態様に従う、ｅＤＲＸで動作するｅＮＢＳとモビリティマネージメントエンティティ（ＭＭＥ）の例示タイムラインを図示する。
【図８】[0029]図８は本開示のある態様に従う、ｅＤＲＸ  ＵＥｓおよびノーマル（例えば、レガシー）ＤＲＸ  ＵＥｓに関する例示タイムラインを図示する。
【図９】[0030]図９は本開示のある態様に従う、ＢＳにより実行され得る例示動作を図示する。
【図１０】[0031]図１０は本開示のある態様に従う、ＵＥにより実行され得る例示動作を図示する。
【図１１】[0032]図１１は本開示のある態様に従う、ネットワークエンティティにより実行され得る例示動作を図示する。
【図１２】[0033]図１２は本開示のある態様に従う、ｅＤＲＸで動作するＵＥをサポートするｅＮＢｓの例示タイムラインを図示する。
【図１３】[0034]図１３は本開示のある態様に従う、ｅＤＲＸで動作するＵＥをサポートするｅＮＢｓの例示タイムラインを図示する。
【図１４】[0035]図１４は、本開示のある態様に従う、ｅＤＲＸで動作するＵＥをサポートするｅＮＢｓの例示タイムラインを図示する。
【発明を実施するための形態】
【００２２】
[0036]本開示の態様は拡張された不連続受信（ｅＤＲＸ）に関するさまざまな技法を提供する。ｅＤＲＸはロングタームエボリューション（ＬＴＥ）リリース１３(Rel 13)で導入される強化の１つである。ｅＤＲＸは現在のＤＲＸ、特に低データアクティビティを備えたマシンタイプ通信（ＭＴＣ）デバイスで可能であるものよりも極めて高い電力節約を可能にし得る。レガシー（例えば、現在の）ＤＲＸは、ＬＴＥにおいて現在０乃至１０２３である、システムフレーム番号（ＳＦＮ）レンジに制約される。現在のＤＲＸでは、ＤＲＸサイクルの最大長は２．５６秒であり、それはデバイスが少なくとも２．５６秒ごとに１回「ウェークアップ」（例えば、受信機を活性化する）しなければならないことを意味する。本開示の態様に従って、デバイス（例えば、ユーザ機器（ＵＥｓ）、基地局（ＢＳｓ）および他のネットワークエンティティ）はＳＦＮレンジにより制約されていない間デバイスがｅＤＲＸを実行することを可能にするように動作することができる。例えば、以下に詳細に記載されるように、現在のＤＲＸの場合のようにＳＦＮレンジに基づいて２．５６秒の最大サイクル長に制約されるよりはむしろ、４０分またはそれ以上のサイクル長でｅＤＲＸを実行するために、ＭＴＣデバイスおよび／またはエンハンストＭＴＣ（ｅＭＴＣ）デバイスのような、あるデバイスによりこの技法が使用され得る。
【００２３】
[0037]ここに説明される技法は、ＣＤＭＡ、ＴＤＭＡ、ＦＤＭＡ、ＯＦＤＭＡ、ＳＣ−ＦＤＭＡのような様々なワイヤレス通信ネットワークおよび他のネットワークに対して使用されうる。「ネットワーク」および「システム」という用語は、しばしば交換可能に使用される。ＣＤＭＡネットワークは、ユニバーサル地上無線アクセス（ＵＴＲＡ）、ｃｄｍａ２０００などのような無線技術をインプリメントすることができる。ＵＴＲＡは、広帯域ＣＤＭＡ（ＷＣＤＭＡ（登録商標））、時分割同期ＣＤＭＡ（ＴＤ−ＳＣＤＭＡ）、およびＣＤＭＡの他のバリエーションを含む。ｃｄｍａ２０００は、ＩＳ−２０００規格、ＩＳ−９５規格、およびＩＳ−８５６規格をカバーする。ＴＤＭＡネットワークは、グローバル移動体通信システム（ＧＳＭ）（登録商標）のような無線技術をインプリメントすることができる。ＯＦＤＭＡネットワークは、発展型ＵＴＲＡ（Ｅ−ＵＴＲＡ）、ウルトラモバイルブロードバンド（ＵＭＢ）、ＩＥＥＥ ８０２．１１（Ｗｉ−Ｆｉ（登録商標））、ＩＥＥＥ ８０２．１６（ＷｉＭＡＸ（登録商標））、ＩＥＥＥ  ８０２．２０、Ｆｌａｓｈ−ＯＦＤＭ（登録商標）、等のような無線技術をインプリメントすることができる。ＵＴＲＡおよびＥ−ＵＴＲＡは、ユニバーサルモバイルテレコミュニケーションシステム（ＵＭＴＳ）の一部である。周波数分割多重（ＦＤＤ）および時分割多重（ＴＤＤ）の両方における３ＧＰＰロングタームエボリューション（ＬＴＥ）およびＬＴＥ−アドバンスト（ＬＴＥ−Ａ）は、ダウンリンクではＯＦＤＭＡを、アップリンクではＳＣ−ＦＤＭＡを適用する、Ｅ−ＵＴＲＡを使用するＵＭＴＳの新たなリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）という名称の団体からの文書内において説明されている。ｃｄｍａ２０００およびＵＭＢは、「第３世代パートナーシッププロジェクト２」（３ＧＰＰ２）と命名された団体からの文書内に説明されている。ここで説明される技法は、上述されたワイヤレスネットワークおよび無線技術のみならず、他のワイヤレスネットワークおよび無線技術のために使用されうる。明確化のために、これらの技法のある態様は、ＬＴＥ／ＬＴＥ−アドバンストについて下記に説明されており、ＬＴＥ／ＬＴＥ−アドバンストの用語が下記の説明の大部分で使用され得る。ＬＴＥおよびＬＴＥ−Ａは、一般に、ＬＴＥと呼ばれる。
【００２４】
[0038]図１は、本開示の態様が用いられ得る実例的なワイヤレス通信ネットワーク１００を示す。たとえば、セルをサーチし、セルを獲得するために使用される１つまたは複数の信号は無線通信ネットワーク１００内の１つまたは複数のＢＳｓによって、無線通信ネットワーク１００内の１つまたは複数のＵＥｓへ送信されることができる。以下により詳細に記載されるように、ここに提供される技法は１つまたは複数の信号に基づいて（ＵＥｓが）セル獲得を実行するのに関連づけられた時間量を低減するためにＢＳ（複数の場合もある）／またはＵＥ（複数の場合もある）により使用されることができる。ここで使用されるように、「セル獲得」という用語はセルをサーチしおよび／またはセルを獲得する（例えば、セルに同期化する）ことに言及するために使用されることができる。
【００２５】
[0039]ワイヤレス通信ネットワーク１００はＬＴＥネットワークまたはその他のワイヤレスネットワークであり得る。ワイヤレス通信ネットワーク１００は多数の発展型ノードＢｓ(eNBs)１１０および他のネットワークエンティティを含むことができる。ｅＮＢはユーザ機器(UEs)と通信するエンティティであり、また基地局、ノードＢ、アクセスポイント（ＡＰ）等とも呼ばれることができる。各ｅＮＢは特定の地理的領域に関する通信カバレッジを提供することができる。３ＰＰＰにおいて、「セル」という用語は、用語が使用されるコンテキストに依存してこのカバレッジエリアにサービスするｅＮＢおよび／またはｅＮＢサブシステムのカバレッジエリアに言及することができる。
【００２６】
[0040]ｅＮＢは、マクロセル、ピコセル、フェムトセル、および／または他のタイプのセルに対して通信カバレッジを提供することができる。マクロセルは、比較的大きい地理的エリア（例えば、半径数キロメートル）をカバーし、サービス加入しているＵＥによる制限されていないアクセスを可能にすることができる。ピコセルは、比較的小さい地理的エリアをカバーし、サービス加入しているＵＥによる制限されていないアクセスを可能にすることができる。フェムトセルは、比較的小さい地理的エリア（例えば、家）をカバーし、このフェムトセルと関連性のあるＵＥ（例えば、クローズド加入者グループ（ＣＳＧ）におけるＵＥ）による制限されたアクセスを可能にすることができる。マクロセルのためのｅＮＢは、マクロｅＮＢと称されることができる。ピコセルのためのｅＮＢは、ピコｅＮＢと称されることができる。フェムトセルのためのｅＮＢは、フェムトｅＮＢまたはホームｅＮＢ（ＨｅＮＢ）と称されることができる。図１に示される例では、ｅＮＢ１１０ａは、マクロセル１０２ａのためのマクロｅＮＢであり得、ｅＮＢ１１０ｂは、ピコセル１０２ｂのためのピコｅＮＢであり得、ｅＮＢ１１０ｃは、フェムトセル１０２ｃのためのフェムトｅＮＢであり得る。ｅＮＢは、１つまたは複数の（例えば、３つの）セルをサポートすることができる。「ｅＮＢ」、「基地局」、および「セル」という用語は、本明細書では同じ意味で使用され得る。
【００２７】
[0041]ワイヤレス通信ネットワーク１００はまた、中継局（relay station）を含むことができる。中継局は、アップストリーム局（例えば、ｅＮＢまたはＵＥ）からデータの送信を受信し、ダウンストリーム局（例えば、ＵＥまたはｅＮＢ）にデータの送信を送ることができるエンティティである。中継局はまた、他のＵＥのための送信を中継することができるＵＥであり得る。図１に示される例では、中継（局）ｅＮＢ１１０ｄは、ｅＮＢ１１０ａとＵＥ１２０ｄの間の通信を容易にするために、マクロｅＮＢ１１０ａおよびＵＥ１２０ｄと通信することができる。中継局は、中継ｅＮＢ、中継基地局、リレーなどとも呼ばれることができる。
【００２８】
[0042]ワイヤレス通信ネットワーク１００は、例えば、マクロｅＮＢｓ、ピコｅＮＢｓ、フェムトｅＮＢｓ、中継ｅＮＢｓなどの異なるタイプのｅＮＢｓを含む異種ネットワークであり得る。これらの異なるタイプのｅＮＢｓは、ワイヤレス通信ネットワーク１００において、異なる送信電力レベル、異なるカバレッジエリア、および干渉に対する異なる影響を有し得る。例えば、マクロｅＮＢｓが、高い送信電力レベル（例えば、５〜４０Ｗ）を有し得るのに対して、ピコｅＮＢｓ、フェムトｅＮＢｓ、および中継ｅＮＢｓは、より低い送信電力レベル（例えば、０．１〜２Ｗ）を有し得る。
【００２９】
[0043]ネットワークコントローラ１３０は、これらｅＮＢｓのセットに結合し、これらｅＮＢｓに対して協調と制御を提供することができる。
ネットワークコントローラ１３０は、バックホールへのネットワークインタフェースを介してｅＮＢｓと通信することができる。ｅＮＢｓはまた、例えば直接的に、あるいはワイヤレスまたはワイヤーラインバックホールを介して間接的に互いに通信することができる。
【００３０】
[0044]ＵＥ １２０（例えば、１２０ａ、１２０ｂ、１２０ｃ）は、ワイヤレス通信ネットワーク１００にわたって分散しており、各ＵＥは固定式または移動式であり得る。ＵＥは、アクセス端末、端末、モバイル局（ＭＳ）、加入者ユニット、局（ＳＴＡ）、等とも呼ばれ得る。ＵＥの例は、セルラフォン、携帯情報端末（ＰＤＡ）、ワイヤレスモデム、ワイヤレス通信デバイス、ハンドヘルドデバイス、ラップトップコンピュータ、コードレスフォン、ワイヤレスローカルループ（ＷＬＬ）局、タブレット、スマートフォン、ネットブック、スマートブック、ウルトラブック、等であり得る。図１において、両方向矢印付きの実線は、ＵＥと、ダウンリンクおよび／またはアップリンク上でそのＵＥにサービス提供するように指定されたｅＮＢであるサービングｅＮＢとの間の所望の伝送を示す。両矢印付きの破線は、ＵＥとｅＮＢとの間の送信を潜在的に干渉することを示す。
【００３１】
[0045]ワイヤレス通信ネットワーク１００（例えば、ＬＴＥネットワーク）内の１つまたは複数のＵＥｓ１２０はまた、例えば、ＬＣ  ＭＴＣ  ＵＥｓ、ＬＣ  ｅＭＴＣ  ＵＥｓ等のような低価格（ＬＣ）、低データレートデバイスであり得る。ＬＣ  ＵＥｓはＬＴＥネットワークにおいてレガシーおよび／またはアドバンストＵＥｓと共存することができワイヤレスネットワーク内の他のＵＥｓ（例えば、非ＬＣ  ＵＥｓ）に比べると制限される１つまたは複数の能力を有することができる。例えば、ＬＴＥ  Ｒｅｌ−１２において、ＬＴＥネットワーク内のレガシーおよび／またはアドバンストＵＥｓに比べると、ＬＣ  ＵＥｓは以下の１つまたは複数で動作することができる：（レガシＵＥｓに対して）最大帯域幅の低減、単一受信無線周波数（ＲＦ）チェーン、ピークレートの低減（例えば、トランスポートブロックサイズ（ＴＢＳ）に関して最大１０００ビットがサポートされることができる）、送信電力の低減、ランク１送信、ハーフデュプレックス動作等。いくつかのケースにおいて、ハーフデュプレックス動作がサポートされる場合、ＬＣ  ＵＥｓは送信から受信（または受信から送信）動作への緩和された(relaxed)切替タイミングを有することができる。例えば、１つのケースにおいて、レガシーおよび／またはアドバンストＵＥｓに関する２０マイクロ秒（μｓ）の切替タイミングに比べて、ＬＣ  ＵＥｓは１ミリ秒（ｍｓ）の緩和された切替タイミングを有することができる。
【００３２】
[0046]いくつかのケースにおいて、ＬＣ  ＵＥｓ（たとえば、ＬＴＥ  Ｒｅｌ−１２において）もまたＬＴＥネットワークモニタＤＬコントロールチャネルにおけるレガシーおよび／またはアドバンストＵＥｓと同様の方法でダウンリンク（ＤＬ）コントロールチャネルをモニタすることができる。リリース１２  ＭＴＣ  ＵＥｓは、例えば、最初のわずかのシンボルにおいてワイドバンドコントロールチャネルをモニタリングする(例えば、物理ダウンリンクコントロールチャネル（ＰＤＣＣＨ）並びに相対的に狭帯域を占有するがサブフレーム（例えば、エンハンストＰＤＣＣＨ（ｅＰＤＣＣＨ）の長さにまたがる狭帯域コントロールチャネル）レギュラーＵＥｓと同様の方法で依然としてダウンリンク（ＤＬ）コントロールチャネルをモニタすることができる。
【００３３】
[0047]ワイヤレス通信ネットワーク１００は、代替としてまたはＭＴＣ動作をサポートすることに加えて、さらなるＭＴＣエンハンスメント（例えば、ｅＭＴＣ動作）をサポートすることができる。例えば、ＬＴＣ  ｅＭＴＣ  ＵＥｓは（例えば、ＬＴＥ  Ｒｅｌ−１３において）より広いシステム帯域幅（例えば、１．４／３／５／１０／１５／２０ＭＨｚ）と共存しながら(例えば、利用可能なシステム帯域幅から分割された６つのリソースブロック（ＲＢｓ）または１．４ＭＨｚの特定の狭帯域割り当てに制限された)狭帯域動作をサポートすることができる。ＬＣ  ｅＭＴＣ  ＵＥはまた１つまたは複数のカバレッジ動作モードをサポートすることができる。例えば、ＬＣ  ｅＭＴＣは１５ｄＢまでのカバレッジエンハンスメントをサポートすることができる。
【００３４】
[0048]ここで使用されるように、ＭＴＣデバイス、ｅＭＴＣデバイス等のような制限された通信リソースを有するデバイスは一般的にＬＣ  ＵＥｓと呼ばれる。同様に、レガシーおよび／またはアドバンストＵＥｓ（例えば、LEにおける）は一般的に非LC  ＵＥｓと呼ばれる。
【００３５】
[0049]いくつかのケースにおいて、ＵＥ（例えば、ＬＣ  ＵＥまたは非ＬＣ  ＵＥ）はネットワーク内で通信する前にセルサーチおよび獲得プロシージャを実行することができる。１つのケースにおいて、例として図１に示されるＬＴＥネットワークを参照すると、セルサーチと獲得プロシージャはＵＥがＬＴＥセルに接続されていないときおよびＬＴＥネットワークをアクセスしたいときに実行されることができる。これらのケースにおいて、ＵＥは単に電源をオンにし、ＬＴＥセルなどへの接続を一時的に失った後接続を回復させることができる。
【００３６】
[0050]他のケースにおいて、セルサーチと獲得プロシージャはＵＥがすでにＬＴＥセルに接続されているとき実行されることができる。例えば、ＵＥは新しいＬＴＥセルを検出し、新しいセルヘのハンドオーバを作ることができる。他の例として、ＵＥは１つまたは複数の低電力状態で動作している場合があり(例えば、不連続受信（ＤＲＸ）をサポートしている場合があり)、１つまたは複数の低電力状態を抜け出すと、セルサーチを実行し、獲得プロシージャを実行しなければならないかもしれない（たとえ、ＵＥが依然として接続されたモードにあっても）。
【００３７】
[0051]図２は、それぞれ図１におけるＢＳｓ／ｅＮＢｓ１１０の１つおよびＵＥｓ１２０の１つであり得るＢＳ／ｅＮＢ１１０およびＵＥ１２０の設計のブロック図である。ＢＳ１１０には、Ｔ本のアンテナ２３４ａ〜２３４ｔが装備され得、ＵＥ １２０は、Ｒ本のアンテナ２５２ａ〜２５２ｒが装備され得、ここで、一般に、Ｔ≧１およびＲ≧１である。
【００３８】
[0052]ＢＳ１１０では、送信プロセッサ２２０は、１つ以上のＵＥｓのためにデータソース２１２からデータを受信し、ＵＥから受信されたチャネル品質インジケータ（ＣＱＩｓ）に基づいて各ＵＥに対して１つ以上の変調およびコーディングスキーム（ＭＣＳｓ）を選択し、ＵＥごとにそのＵＥに対して選択されたＭＣＳ（複数の場合もある）に基づいてデータを処理（例えば、符号化および変調）し、すべてのＵＥｓに対してデータシンボルを提供することができる。送信プロセッサ２２０は、また、システム情報（例えば、準静的リソース分割情報（ＳＲＰＩ）、等）および制御情報（例えば、ＣＱＩ要求、グラント（grant）、上位層シグナリング、等）を処理し、オーバーヘッドシンボルおよび制御シンボルを提供することができる。プロセッサ２２０は、また、基準信号（例えば、共通基準信号（ＣＲＳ））および同期信号（例えば、プライマリ同期信号（ＰＳＳ）およびセカンダリ同期信号（ＳＳＳ））のための基準シンボルを生成することができる。送信（ＴＸ）多入力多出力（ＭＩＭＯ）プロセッサ２３０は、適用可能であれば、データシンボル、制御シンボル、オーバーヘッドシンボル、および／または、基準シンボルに対して空間処理（例えば、プリコーディング）を実行し、Ｔ個の出力シンボルストリームをＴ個の変調器（ＭＯＤｓ）２３２ａ〜２３２ｔに提供することができる。各変調器232は、出力サンプルストリームを取得するために（例えば、ＯＦＤＭ、等のための）それぞれの出力シンボルストリームを処理することができる。各変調器232はさらに、ダウンリンク信号を取得するために、出力サンプルストリームを処理（例えば、アナログに変換、増幅、フィルタリング、およびアップコンバート）することができる。変調器２３２ａ〜２３２ｔからのＴ個のダウンリンク信号は、Ｔ個のアンテナ２３４ａ〜２３４ｔを介して、それぞれ送信され得る。
【００３９】
[0053]ＵＥ１２０では、アンテナ２５２ａ〜２５２ｒは、ＢＳ１１０および／または他のＢＳｓからダウンリンク信号を受信し、それぞれ復調器（ＤＥＭＯＤ）２５４ａ〜２５４ｒに受信された信号を提供することができる。各ＤＥＭＯＤ254は、その受信された信号を調整（例えば、フィルタリング、増幅、ダウンコンバート、およびデジタル化）し、入力サンプルを取得することができる。各ＤＥＭＯＤ254は、（例えば、ＯＦＤＭ等のために）入力サンプルをさらに処理し、受信されたシンボルを取得することができる。ＭＩＭＯ検出器２５６は、Ｒ個のすべての復調器２５４ａ〜２５４ｒからの受信されたシンボルを取得し、適用可能であれば、受信されたシンボルに対してＭＩＭＯ検出を実行し、検出されたシンボルを提供することができる。受信プロセッサ２５８は、検出されたシンボルを処理（例えば、復調、および復号）し、ＵＥ120のための復号されたデータをデータシンク２６０に提供し、復号された制御情報およびシステム情報をコントローラ／プロセッサ２８０に提供することができる。チャネルプロセッサは、基準信号受信電力（ＲＳＲＰ）、受信信号強度インジケータ（ＲＳＳＩ）、基準信号受信品質（ＲＳＲＱ）、ＣＱＩ、等を決定することができる。
【００４０】
[0054]アップリンクにおいて、ＵＥ １２０では、送信プロセッサ２６４は、データソース２６２からのデータ、およびコントローラ／プロセッサ２８０からの（例えば、ＲＳＲＰ、ＲＳＳＩ、ＲＳＲＱ、ＣＱＩなどを含む報告のための）制御情報を受信し、処理することができる。プロセッサ264はまた、１つまたは複数の基準信号のための基準シンボルを生成することができる。送信プロセッサ２６４からのシンボルは、適用可能であれば、ＴＸ ＭＩＭＯプロセッサ２６６によってプリコードされ、変調器２５４ａ〜２５４ｒ（例えば、ＳＣ−ＦＤＭ、ＯＦＤＭなどのための）によってさらに処理され、ＢＳ１１０に送信されることができる。ＢＳ１１０では、ＵＥ１２０および他のＵＥｓからのアップリンク信号は、アンテナ２３４によって受信され、ＤＥＭＯＤｓ２３２によって処理され、適用可能であれば、ＭＩＭＯ検出器２３６によって検出され、さらに受信プロセッサ２３８によって処理されて、ＵＥ１２０によって送られた復号されたデータおよび制御情報を取得することができる。プロセッサ238は、復号されたデータをデータシンク239に、そして、復号された制御情報をコントローラ／プロセッサ240に提供しうる。基地局１１０は、通信ユニット２４４を含み、通信ユニット２４４を介してネットワークコントローラ１３０に通信し得る。ネットワークコントローラ１３０は、通信ユニット２９４、コントローラ／プロセッサ２９０、およびメモリ２９２を含むことができる。
【００４１】
[0055]コントローラ／プロセッサ２４０および２８０は、それぞれＢＳ１１０およびＵＥ１２０における動作を指示することができる。たとえば、ＢＳ１１０におけるコントローラ／プロセッサ２４０および／または他のプロセッサおよびモジュールは図９に示される動作９００およびここに記載される技法に関する他のプロセスを実行することまたは指示することができる。同様に、ＵＥ１２０におけるコントローラ／プロセッサ２８０および／または他のプロセッサおよびモジュールは図１０に示される動作１０００および／またはここに記載される技法に関するプロセスを実行することまたは指示することができる。メモリ２４２および２８２はそれぞれＢＳ１１０およびＵＥ１２０に関するデータおよびプログラムコードを記憶することができる。スケジューラ２４６はダウンリンクおよび／またはアップリンク上のデータ送信に関してＵＥｓをスケジュールすることができる。
【００４２】
[0056]図３は、ＬＴＥにおけるＦＤＤのための例示的なフレーム構造３００を示す。ダウンリンクおよびアップリンクの各々についての送信タイムラインは、無線フレームの単位に分割されることができる。各無線フレームは、所定の持続時間（例えば、１０ミリ秒（ｍｓ））を有し、０〜９のインデックスを有する１０個のサブフレームに区分されることができる。各サブフレームは、２つのスロットを含むことができる。各無線フレームは、したがって、０〜１９のインデックスを有する２０個のスロットを含むことができる。各スロットは、Ｌ個のシンボル期間、例えば、ノーマルサイクリックプレフィックス（a normal cyclic prefix）の場合７個のシンボル期間（図３に示されるように）、または、拡張サイクリックプリフィックス（an extended cyclic prefix）の場合６個のシンボル期間、を含むことができる。各サブフレーム内における２Ｌ個のシンボル期間は、０〜２Ｌ−１のインデックスが割り当てられることができる。
【００４３】
[0057]ＬＴＥにおいて、ｅＮＢは、ｅＮＢによってサポートされる各セルのシステム帯域幅の中心１．０８ＭＨｚにおけるダウンリンクでプライマリ同期信号（ＰＳＳ）およびセカンダリ同期信号（ＳＳＳ）を送信することができる。ＰＳＳおよびＳＳＳは、それぞれ、図３で示されるように、ノーマルサイクリックプレフィックスを用いた各無線フレームのサブフレーム０および５において、それぞれシンボル期間６および５で送信されることができる。ＰＳＳおよびＳＳＳは、セルの探索および捕捉（acquisition）のためにＵＥｓによって使用されることができる。たとえば、ＰＳＳは物理層アイデンティティに関する情報（たとえば、０乃至２）をＵＥに提供することができ、それはＬＴＥセルが属することができることを識別するのが物理レイヤセルの３つのグループのうちのいずれであるかを識別することができる。ＰＳＳはまたシンボルタイミング検出、周波数オフセット検出などでＵＥにより使用されることができる。ＳＳＳは物理層セルアイデンティティグループ番号（例えば０乃至１６７）に関する情報をＵＥに提供することができ、無線フレームタイミング検出、サイクリックプリフィックス長検出、時分割デュプレキシング(duplexing)(TDD)／周波数分割デュプレキシング（ＦＤＤ）検出などに関してＵＥにより使用されることができる。
【００４４】
[0058]物理層アイデンティティ（例えば、ＰＳＳから）および物理層セルアイデンティティグループ番号（例えばＳＳＳから）を用いて、ＵＥは所与のセルに関する物理層セルアイデンティティ（ＰＣＩ）を決定することができる。以下に記載されるように、ＵＥが所与のセルに関するＰＣＩを知ると、ＵＥはセルから送信された基準信号のロケーションを知ることができセルから送信されたシステム情報（例えば、セルを獲得するために使用される）を受信し、復号することができる。ｅＮＢは、ｅＮＢによってサポートされる各セルについて、システム帯域幅にわたってセル固有基準信号（ＣＲＳ）を送信し得る。ＣＲＳは、各サブフレームの特定のシンボル期間で送信されることができ、ＵＥによって、チャネル推定、チャネル品質測定、および／または他の機能を実行するために使用されることができる。ｅＮＢはまた、ある無線フレームのスロット１におけるシンボル期間０から３に物理ブロードキャストチャネル（ＰＢＣＨ）を送信することができる。
【００４５】
[0060]ＰＢＣＨは、一般に、セルへのイニシャルアクセスなどのためにＵＥにより使用されるいくつかのシステム情報（例えば、マスタ情報ブロック（ＭＩＢ））を転送することができる。たとえば、ＰＢＣＨはシステム帯域幅、送信アンテナの数、システムフレーム番号などに関する情報を転送することができる。ｅＮＢはまたあるサブフレームにおいて物理層ダウンリンク共有チャネル（ＰＤＳＣＨ）上のシステム情報ブロック（ＳＩＢｓ）のような他のシステム情報を送信することができる。ｅＮＢはサブフレームの第１のＢシンボル期間において物理ダウンリンクコントロールチャネル（ＰＣＣＨ）上のコントロール情報／データを送信することができ、ここでＢは各サブフレーム毎に構成されることができる。ｅＮＢは各サブフレームの残りのシンボル期間にＰＤＳＣＨ上のトラフィックデータおよび／または他のデータを送信することができる。
【００４６】
[0061]ＬＴＥにおけるＰＳＳ、ＳＳＳ、ＣＲＳ、およびＰＢＣＨは、「Evolved Universal Terrestrial Radio Access (E-UTRA); Physical Channels and Modulation」と題する、３ＧＰＰ ＴＳ ３６．２１１で説明されており、これは公に入手可能である。
【００４７】
[0062]図４は、通常のサイクリックプレフィックスを有する、ダウンリンクのための２つの例となるサブフレームフォーマット４１０および４２０を示す。ダウンリンクのための利用可能な時間周波数リソースは、リソースブロックに分割されることができる。各リソースブロックは、１つのスロットにおいて１２個のサブキャリアをカバーし、多くのリソース要素を含むことができる。各リソースエレメントは、1つのシンボル期間において1つのサブキャリアをカバーすることができ、実数値あるいは複素数値であり得る1つの変調シンボルを送るために使用されることができる。
【００４８】
[0063]サブフレームフォーマット４１０は、２つのアンテナを備えたｅＮＢに対して使用されることができる。ＣＲＳは、シンボル期間０、４、７、および１１においてアンテナ０および１から送信されることができる。基準信号は、送信機および受信機によってアプリオリに知られている信号であり、パイロットとも呼ばれることができる。ＣＲＳは、例えば、セル識別子（ＩＤ）に基づいて生成される、セルに特有の基準信号である。図４では、ラベルＲａを有する所与のリソースエレメントに関して、変調シンボルはそのリソースエレメント上でアンテナａから送信されることができ、そのリソースエレメント上で他のアンテナから変調シンボルは送信されることができない。サブフレームフォーマット４２０は、４つのアンテナを備えたｅＮＢに対して使用されることができる。ＣＲＳは、シンボル期間０、４、７、および１１にアンテナ０および１から、シンボル期間１および８にアンテナ２および３から送信されることができる。サブフレームフォーマット４１０および４２０の両方について、ＣＲＳは、セルＩＤに基づいて決定され得る、均等に間隔が空けられたサブキャリア上に送信されることができる。異なるｅＮＢｓは、それらのＣＲＳを、それらのセルＩＤｓに依存して、同じまたは異なるサブキャリアで送信することができる。サブフレームフォーマット４１０および４２０の両方について、ＣＲＳのために使用されないリソースエレメントは、データ（例えば、トラフィックデータ、制御データ、および／または他のデータ）を送信するために使用されることができる。
【００４９】
[0064]インターレース構造は、ＬＴＥにおけるＦＤＤのためのダウンリンクおよびアップリンクの各々に対して使用されることができる。例えば、０〜Ｑ−１のインデックスを有するＱ個のインターレースが定義され得、ここで、Ｑは４、６、８、１０、または何らかの他の値と等しいものであり得る。各インターレースは、Ｑ個のフレーム離間されたサブフレームを含むことができる。特に、インターレースｑは、サブフレームｑ、ｑ＋Ｑ、ｑ＋２Ｑ、等を含むことができ、ここで、ｑ∈｛０，．．．，Ｑ−１｝である。
【００５０】
[0065]ワイヤレスネットワークは、ダウンリンクおよびアップリンク上でのデータ送信に関するハイブリッド自動再送要求（ＨＡＲＱ）をサポートすることができる。ＨＡＲＱの場合、送信機（例えば、ｅＮＢ）は、パケットが受信機（例えば、ＵＥ）によって正確に復号されるか、または何らかの他の終了条件に遭遇する(encounter)まで、パケットの１つまたは複数の送信を送ることができる。同期ＨＡＲＱの場合、パケットのすべての送信は、単一のインターレースの複数のサブフレームで送られ得る。非同期ＨＡＲＱの場合、パケットの各送信は、任意のサブフレームで送られることができる。
【００５１】
[0066]１つのＵＥは、複数のｅＮＢｓのカバレッジ内に位置されることができる。これらのｅＮＢｓのうちの１つは、ＵＥにサービスするために選択されることができる。サービングｅＮＢは、受信信号強度、受信信号品質、経路損失などのような様々な基準に基づいて選択されることができる。受信信号品質は、信号対雑音・干渉比（ＳＩＮＲ）、または基準信号受信品質（ＲＳＲＱ）、または何らかの他のメトリックによって定量化され得る。ＵＥは、当該ＵＥが、１つまたは複数の干渉するｅＮＢｓから高い干渉を観測し得る支配的な（dominant）干渉シナリオで動作することができる。
【００５２】
[0067]上述したように、無線通信ネットワーク（例えば無線通信ネットワーク１００）内の１つまたは複数のＵＥｓは無線通信ネットワーク内の他の（非ＬＣ）デバイスに比べて、ＬＣ  ＵＥｓのような制限された通信リソースを有するデバイスであり得る。例えば、上述したように、ＬＣ  ＵＥはリンクバジェット(link budget)制限デバイスであり得、そのリンクバジェット制限に基づいて異なる動作モード（例えば、ＬＣ  ＵＥからまたはＬＣ  ＵＥへ送信される反復メッセージの異なる量を伴う）で動作することができる。たとえば、いくつかのケースにおいて、ＬＣ  ＵＥは反復が皆無かそれに近い(little to no)ノーマルカバレッジモード（たとえば、メッセージを成功裏に受信および／または送信するためにＵＥに必要な反復量を低くすることができるかあるいは反復が必要ですらなくすることができる）で動作することができる。代替的に、いくつかのケースにおいて、ＬＣ  ＵＥは高い反復量があり得るカバレッジエンハンスメント（ＣＥ）モードで動作することができる。さらに、いくつかのケースにおいて、非ＬＣ  ＵＥｓはまたＣＥモードをサポートすることができる。
拡張された不連続受信における例示ページン
[0068]上述したように、拡張された不連続受信（ｅＤＲＸ）を行う際に、ここに提供された１つまたは複数の技法は１つまたは複数のＢＳｓ、ネットワークデバイス、およびＵＥｓ（例えば、ＭＴＣ  ＵＥｓ）により使用されることができる。ここに提供される１つまたは複数の技法はｅＤＲＸを行うＵＥｓに関するページング動作の信頼性を改善することができる。１つまたは複数の技法はまた、例えば、ＵＥへの反復信号の不必要な反復を防止することにより無線通信ネットワークにおける送信リソースの利用を改善することができる。
【００５３】
[0069]レガシーＤＲＸにおいて、各ｅＮＢは別のｅＮＢがそのデバイスに割り当てるページング機会（paging occasion）と無関係にデバイスにページング機会を割り当てる。したがって、新しいセルへリロケート(relocate)するレガシーＤＲＸを用いて動作するデバイスは新しいセルにより新しいページング機会が割当てられることができる。新しいページング機会の割当はＵＥにいくつかのＤＲＸサイクルの期間ネットワークからのページを紛失させる可能性がある。例えば、ネットワークはＵＥをページするように決定し、ＵＥが最後に位置したトラッキングエリアにサービスするｅＮＢｓのすべてにページコマンドを送信することができる。さらに、この例において、ＵＥは第１のセルにおいてＵＥに関するページング機会の前に第１のｅＮＢによりサービスされる第１のセルを離れることができ、ＵＥは第２のセル内のＵＥに関するページング機会の後で第２のｅＮＢによりサービスされる第２のセルに到達することができる。したがって、ＵＥは単にＵＥの移動によりこの例において２以上のＤＲＸサイクルの期間ページを紛失し、ＵＥが第３のセルへ移動する場合さらに多くのＤＲＸサイクルの期間ページを紛失する可能性がある。最も長いレガシーＤＲＸサイクルは２．５６秒であるので、レガシーＤＲＸを用いて動作しているデバイスはデバイスリロケーティングのために数秒間ページを紛失する可能性がある。
【００５４】
[0070]上述したように、ｅＤＲＸはＵＥがスリープモード状態を許容し得、そこでは、ＵＥの受信機と他のシステムは数分（例えば、４０分）続くサイクルの間、非アクティブであり電力が供給されない。アクティブ期間の間の数分間ＵＥが非アクティブである場合、レガシーデバイスに比べてＵＥをページングする機会は頻繁に生じないので、ＵＥをページングする信頼性の重要性は増大する。
【００５５】
[0071]ＵＥがｅＤＲＸで動作しているとき、ＵＥはＵＥが非アクティブの間異なるセルへリロケートすることができる。たとえば、ＭＴＣ  ＵＥは自動車内に運び込まれることができ（例えば、自動車の動作についてのデータを集めるためのシステムの一部として）、自動車はＭＴＣ  ＵＥがスリープサイクルの間にあるセルから別のセルへ運転される場合がある。ｅＤＲＸで動作しているＭＴＣ  ＵＥは横断したセルのいずれともコンタクトすることなく、スリープモードの間いくつかのセルを横断することができる。上述したように、レガシーＤＲＸで動作するＵＥはＵＥが新しいセルへリロケートされたときいくつかのＤＲＸサイクルの期間ページを紛失する可能性がある。（たとえば、レガシーＤＲＸと同様に）ＭＴＣ  ＵＥが位置しているセルにサービスする各ｅＮＢにより新しいページング機会がｅＤＲＸで動作しているＭＴＣ  ＵＥに割り当てられる場合、ＭＴＣ  ＵＥはいくつかのｅＤＲＸサイクルの期間ページを紛失する可能性がある。しかしながら、新しいセルへリロケートし、いくつかのｅＤＲＸサイクルの期間ページを紛失するｅＤＲＸを用いて動作するデバイスは１時間またはそれ以上の時間ネットワークにより連絡可能でないかもしれない(may not be reachable)。本開示の態様は、リロケーティングするときｅＤＲＸを用いて動作するデバイスがいくつかのｅＤＲＸサイクルの期間にページを紛失することを防止することができる技法を提供する。
【００５６】
[0072]本開示の態様によれば、無線通信システムはハイパーＳＦＮ（Ｈ−ＳＦＮ）を用いて、１０２４無線フレーム（例えば、ＳＦＮサイクル）の各サイクルをインデックスすることができる。Ｈ−ＳＦＮは、たとえば、０乃至２５５（例えば、８ビットバイナリ数のレンジ）を有することができる。無線通信システムのｅＮＢｓはシステム情報ブロック（ＳＩＢ）内のＨ−ＳＦＮをブロードキャストすることができる。
【００５７】
[0073]本開示の態様によれば、無線通信システムは１つまたは複数のページングハイパーフレーム（ＰＨｓ）をｅＤＲＸを用いて動作するＵＥへ割り当てることができる。無線通信システムはｅＤＲＸを用いて動作するデバイスにｅＤＲＸ期間（例えば、Ｔ−ｅＤＲＸ）を割り当てることができ、デバイスと無線通信システムは割り当てられたＰＨおよびデバイスに割り当てられたｅＤＲＸ期間に基づいてデバイスのＰＨｓを決定することができる。
【００５８】
[0074]図５はｅＤＲＸに関する例示タイムライン５００を示す。例示タイムラインにおいて、ＢＳ（図１に示されるｅＮＢ１１０ａ）に関するＨ−ＳＦＮは５０２において０でスタートし、５０４において最大値（例えば、２５５）まで増加する。５０６において、Ｈ−ＳＦＮは再び０でスタートする。デバイスに関する第１のＰＨは５０８で図示される。デバイスに関する第２のＰＨは５１０においてT_eDRX後に生じる。
第１のＰＨに含まれるフレームは５１２で図示される。各ハイパーフレームは０乃至１０２３のレンジを有するＳＦＮｓを有する１０２４フレームを含む。図示されるように、各ＰＨは１つまたは複数のページングフレーム（ＰＦｓ）５１４、５１６、５１８を含む。ＰＦｓは３ＧＰＰ  ＴＳ  ３６．３２１のようなＤＲＸに関するレガシー基準に従って決定される。図示されるように、レガシー(例えば、ノーマル)ＤＲＸサイクルによれば、ＰＨ内の第１のＰＦ５１４はＳＦＮ  Ｙで生じ、それはＵＥにサービスするｅＮＢにより割り当てられ、ＮｃのさらなるＰＦｓ５１６、５１８がノーマルＤＲＸサイクル長（例えば、Ｔ＿ＤＲＸ）の間隔で生じる。Ｎｃは１ＰＨの期間にＵＥがページをモニタする第１のＰＦの後のＤＲＸサイクルの数であり、例えば、ｅＮＢがｅＤＲＸを実行するようにＵＥを構成するときＵＥのサービングｅＮＢによりＵＥ上に構成されることができる。各ＰＦの期間に、少なくとも１つのページング機会（ＰＯ）５２０が少なくとも１つのサブフレームに生じる。
【００５９】
[0075]ノーマルＤＲＸサイクル長、Ｔ＿ＤＲＸは非アクセス層(stratum)（ＮＡＳ）または無線リソースコントロール（ＲＲＣ）シグナリングを用いるＢＳによりＵＥ上に構成されることができる。さらにまたは代替的に、ＵＥは期間Ｔｃのタイマーで構成されることができる。そのようなタイマーで構成されたＵＥは第１のＰＦの初めでウェークアップし（例えば、受信機をアクティブにし）タイマーの満了までアクティブのままである。
【００６０】
[0076]ｅＤＲＸで動作するＵＥのページングの信頼性を改善するために、ネットワークエンティティ（例えばモビリティマネージメントエンティティ（ＭＭＥ））はネットワークエンティティがＵＥをページすることを決定すると、ｅＮＢにより複数のページ送信をトリガすることができる。図５に図示されるように、ネットワークエンティティはＰＦｓＹ、Ｙ＋Ｔ＿ＤＲＸ、およびＹ＋２Ｔ＿ＤＲＸ等でＵＥをページするためにｅＮＢをトリガすることができる。
【００６１】
[0077]本開示の態様によれば、ｅＤＲＸで動作するＵＥはＤＲＸサイクルの期間にＮｃＰＦｓのサブセットのみをモニタするように決定することができる。たとえば、ＵＥはＤＲＸサイクルの期間にＮｃＰＦｓのうちの第１のＰＦをモニタすることができ、ＵＥがページを受信しない場合、ＵＥはスリープモードに戻り、ＤＲＸサイクルの他のＰＦｓをモニタしないと決定する。ＵＥは、ＵＥがモニタしないＰＦｓの期間にＵＥのサービングセルがＵＥをページしないという表示を取得することに基づいてＰＦｓをモニタしないように決定することができる。たとえば、ＵＥがＰＨの期間にウェークアップすると、ＵＥはＵＥのサービングセルの信号品質メトリック（例えば、信号対雑音比）を決定することができる。例において、ＵＥが困難なくセルから信号を受信することができる位置にＵＥがあることを信号品質メトリックが示し、ＵＥがページを受信しなかったことを決定する。さらに、例において、ｅＮＢはＵＥがｅＤＲＸで動作していることを知らされるのでｅＮＢは、ＰＨの期間ＰＦｓの各々の期間にＵＥをページするであろう。さらに、例において、ｅＮＢがＵＥをページングしている場合、ＵＥは第１のＰＦにおいて(良好な信号品質により)ページを検出したであろうから、セルの信号品質メトリックがしきい値以上であるときＵＥがページを検出しない場合第１のＰＦの後でＵＥはスリープモードに戻るようにプログラムされる。
【００６２】
[0078]本開示の態様によれば、ＤＲＸサイクルの期間にＮｃＰＦｓのサブセットをモニタするかどうかを決定するときＵＥが最近新しいセルに選択されたかまたは再選択されたかどうかをＵＥは考慮することができる。ＵＥが最近新しいセルに選択されるか再選択された場合、Ｕｅは最近新しいロケーションに移動した可能性があり、まだ移動中の可能性がある。上述したように、ＵＥのモビリティは、測定された信号品質メトリックがしきい値より良い間（例えば、ＵＥのモビリティに関連した過度的な干渉により）ＵＥにページを紛失させる可能性があるので、ＵＥは最近新しいセルに選択されるか再選択された場合１ＤＲＸサイクルの期間にＮｃＰＦｓの２つ以上をモニタするように決定することができる。
【００６３】
[0079]本開示の態様によれば、１つまたは複数のｅＮＢｓから１つのＵＥへ複数のページ送信をトリガするネットワークエンティティ（例えば、ＭＭＥ）は、すべてのページ送信が送信される前にページされたＵＥがネットワークエンティティにコンタクトする場合、ＵＥはいくつかのページ送信をキャンセルすることができる。
【００６４】
[0080]本開示の態様によれば、ｅＤＲＸで動作するＵＥは、ＵＥがｅＤＲＸ  ＰＦまたはレガシーＰＦ上でページされるかどうか（例えば、レガシーＰＦの期間にＵＥがページを送受信すべきデータを有するのでＵＥが目覚める場合）を、ｅＤＲＸサイクルに基づいてシステム情報変更境界を決定する。システム情報変更境界はＵＥがセルのシステム情報への更新を受信するためにＵＥがアクティブを維持しサービングセルからのブロードキャストをリッスンする時間期間を決定する。ｅＤＲＸで動作するＵＥは、たとえＵＥがレガシーＤＲＸページを受信する場合であっても、ｅＤＲＸに基づいてセルに関するシステム情報変更境界を計算し、レガシーＤＲＸサイクルに基づいてシステム情報変更境界を計算しない。
【００６５】
[0081]本開示の態様によれば、トラッキングエリア内のｅＮＢｓは互いにそれらのＨ−ＳＦＮインデックスをおおよそ割り当てることができる。ｅＮＢｓはグローバルクロック(global clock)または他の時間基準により定義された特定の時刻(time of day)で各ｅＮＢがそれらのＨ−ＳＦＮインデックスをイニシャライズすることにより互いにそれらのＨ−ＳＦＮインデックスを割り当てることができる。トラッキングエリア内のＨ−ＳＦＮインデックスを大まかに割り当てることにより、すべてのｅＮＢｓはたがいに短い時間期間（たとえば、ハイパーフレームの長さの２倍）にページ（例えば、ＭＭＥにより要求されたページ）を送信しなければならないので、ｅＤＲＸで動作するＵＥのページングはより予測可能であり得る。さらに、トラッキングエリア内のｅＮＢｓのＨ−ＳＦＮインデックスのおおまかな割り当てはネットワークエンティティがＵＥに関するＰＨの開始附近までＵＥに関するページング要求を発行するのを遅らせることを可能にする。
【００６６】
[0082]図６は１トラッキングエリア内に位置されたｅＮＢｓの例示タイムライン６００を図示する。図示されるように、ｅＮＢｓは時刻６０２においてそのＨ−ＳＦＮインデックスをイニシャライズする。ｅＮＢ３は時刻６０６のわずか後にそのＨ−ＳＦＮインデックスをイニシャライズし、ｅＮＢ２はさらに時刻６０４の少しあとにそのＨ−ＳＦＮインデックスをイニシャライズする。ｅＮＢｓの各々は真夜中（午前００：００時）のローカルタイムの後に生じるＳＦＮインデックス０を有する第１のフレームの開始でそのＨ−ＳＦＮインデックスをイニシャライズする。各ｅＮＢはほぼ同時刻にそのＨ−ＳＦＮインデックスをイニシャライズするので、特定のＵＥに関するＰＨ  Ｘはページング応答ウィンドウ６０８と呼ばれるショートウィンドウ内でその３つのｅＮＢｓのすべてに生じる。ｅＮＢｓのすべてがそれらのＨ−ＳＦＮインデックスをほぼ同時刻にイニシャライズするので、ページング応答ウィンドウは、ハイパーフレームの長さの２倍に等しい長さを有する。
【００６７】
[0083]本開示の態様によれば、ネットワークエンティティ（例えば、ＭＭＥ）は、ＵＥに関するハイパーフレームのページングの発生に基づいて、ネットワークエンティティのページングストラテジィを改善することができる。たとえば、ネットワークエンティティはＵＥに関するページング応答ウィンドウの開始のちょっと前（例えば、２０ミリ秒未満）まで特定のＵＥに関するページを発行するのを遅らせることができる。ページングストラテジィを改善する第２の例として、ネットワークエンティティは、ＵＥがページに応答しないときＵＥへのページ再送信を要求する前にＵＥに関するページング応答ウィンドウの発生まで待つことができる。ページングストラテジィを改善する第３の例において、ネットワークエンティティは、ＵＥのページング応答ウィンドウの期間により頻繁なページングを実行することができＵＥのページング応答ウィンドウ外では、より頻度の少ないページングを実行することができる。すなわち、ネットワークエンティティはレガシタイプページングを実行することができ、ここでは、ネットワークエンティティは、ＵＥのページング応答ウィンドウ外では、ＵＥに関するページング再送信要求を発行する前にＵＥのＤＲＸサイクルの終了を待ち、ＵＥのページング応答ウィンドウ内では、ネットワークエンティティは、ＵＥに関するページング再送信要求を発行する前にＤＲＸサイクル長未満待つ。
【００６８】
[0084]図７は本開示の態様に従って、ｅＤＲＸで動作するＵＥと通信するように動作するＭＭＥ７０２、ｅＮＢ１  ７２０およびｅＮＢ２  ７４０の例示コールフロー７００である。２つのｅＮＢｓ７２０、７４０は両方とも単一トラッキングエリアＴ内にあり得る。本開示の態様によれば、例示コールフローはＭＭＥ７０２で図示されるけれども、他のタイプのネットワークコントローラ（例えば、図１に示されるネットワークコントローラ１３０）は同様な動作を実行することができる。また、例示コールフローは２つのｅＮＢｓ７２０、７４０で図示されるけれども、他の数のｅＮＢｓがｅＤＲＸで動作するＵＥとの通信に含まれることができる。図１に示されるｅＮＢ１１０ａは例示コールフローに示されるように実行することができるｅＮＢの一例であり得る。ｅＮＢ１７２０は図６に示される６０２で始まるタイムラインに従って動作することができ、同様に、ｅＮＢ２７４０は図６に示される６０４で始まるタイムラインに従って動作することができる。
【００６９】
[0085]７０４で、ＭＭＥ７０２は識別（ＩＤ）ＵＥ１（図示せず）を有するＵＥに関するデータを受信し、ＵＥ１をページするように決定する。ＭＭＥ７０２はＵＥ１をページするように決定することの一部としてＵＥ１がｅＤＲＸで動作しておりトラッキングエリアＴ内に位置していると決定することができる。ＭＭＥ７０２はネットワークによりサービスされるＵＥｓのデータベースを参照することによりＵＥ１がｅＤＲＸで動作しており、トラッキングエリアＴ内に位置されていると決定することができる。
【００７０】
[0086]時刻７０６において、ＭＭＥ７０２はＵＥ１をページするためのページング要求（すなわち、ページング要求１およびページング要求２）をトラッキングエリアＴ内のセルをサービスするｅＮＢｓの各々に送信する。例示セルフローでは、２つのｅＮＢｓ、すなわちｅＮＢ１  ７２０およびｅＮＢ２  ７４０はトラッキングエリアＴにサービスする。ページング要求（すなわち、ページング要求１およびページング要求２）はページされるＵＥのＩＤ（ＵＥ１）を含む。
【００７１】
[0087]７２２において、ｅＮＢ１  ７２０はページング要求１を受信し、ＵＥ１に関するページングハイパーフレーム（ＰＨ）がいつ始まるかをＵＥ１のＩＤに基づいて決定する。７２２において、ｅＮＢ１  ７２０はＵＥ１に関するＰＨが現在生じておらず、ページング要求１に応答してＵＥ１に関するページＰ１をキューイングする。同様に、７４２において、ｅＮＢ２  ７４０はページング要求２を受信し、ＵＥ１のＩＤに基づいてＵＥ１に関するＰＨをいつ開始するかを決定し、ＵＥ１に関するＰＨが現在生じていないことを決定し、ＵＥ１に関するページＰ２をキューイングする。
【００７２】
[0088]多少の時間が経過した後、７０８にいて、ＭＭＥ７０２は、図６の６０８で始まるページング応答ウィンドウのようなＵＥ１に関するページング応答ウィンドウが始まると決定する。上述したように、ＭＭＥ７０２はＵＥ１に関するページング応答ウィンドウの期間にＵＥ１のより頻繁なページングを実行するように決定することができる。たとえば、ＵＥ１は例えばページングハイパーフレーム（例えば、図５を参照）の期間に６４フレーム（例えば、０．６４秒）のノーマルＤＲＸサイクル長で動作することができ、ＭＭＥ７０２は、ＵＥ１に関するページング要求を送信し、ＵＥ１に関する次のページング要求を送信する前にＤＲＸサイクル（６４フレーム）の長さだけ待つ代わりに、ノーマルサイクル長（例えば３２フレームに１回）毎に２度ＵＥ１に関するページング要求を送信するように決定することができる。時刻７１０においてＭＭＥ７０２はページング要求３をｅＮＢ１  ７２０へ送信し、ページング要求４をｅＮＢ２  ７４０へ送信する。
【００７３】
[0089]７２４において、ｅＮＢ１７２０はＵＥ１に関するＰＨが時刻７６２で始まると決定する。ｅＮＢ１７２０はまたページング要求３に応答してＵＥ１に関するページＰ３を要求する。同様に、７４４において、ｅＮＢ２７４０はページング要求４に応答してＵＥ１に関するページＰ４をキューイングする。
【００７４】
[0090]時刻７１２にいて、ＭＭＥ７０２は、ＵＥ１に関するページング応答ウィンドウの期間にＵＥ１のより頻繁なページングを実行するためにより早い決定（７０８における）に従って、ページング要求５をｅＮＢ１  ７２０に送信し、ページング要求６をｅＮＢ２  ７４０に送信する。
【００７５】
[0091]ｅＮＢ１  ７２０は７２６において、ＵＥ１のＰＨの第１のページングフレーム（ＰＦ）の期間にページＰ１を送信する。ｅＮＢ１  ７２０はまたページング要求５を受信することに応答してＵＥ１に関するページＰ５をキューイングする。
【００７６】
[0092]７４６において、ｅＮＢ２  ７４０はＵＥ１に関するＰＨが始まったと決定する。ｅＮＢ２  ７４０はまたページング要求６を受信することに応答してページＰ６をキューイングする。図６のタイムライン６００に示されるように、各ｅＮＢがＨ−ＳＦＮ０からハイパーフレームのカウントを開始する時刻は変化することができるので、ｅＮＢ２によりサービスされるセル内のＵＥ１のＰＨはｅＮＢ１によりサービスされるセル内のＵＥ１のＰＨとは異なる時刻に開始することができる。
【００７７】
[0093]ＵＥ１に関するページング応答ウィンドウの期間にＵＥ１のより頻繁なページングを実行するためにより早い決定（７０８における）に従って、時刻７１４において、ＭＭＥ７０２はページング要求７をｅＮＢ１  ７２０に送信し、ページング要求８をｅＮＢ２  ７４０に送信する。
【００７８】
[0094]７２８において、ｅＮＢ１  ７２０はＵＥ１に関するＰＨの第２のＰＨにおいてページＰ３を送信する。ｅＮＢ１  ７２０はまたページング要求７を受信することに応答してＵＥ１に関するページＰ７をキューイングする。
【００７９】
[0095]７４８において、ｅＮＢ２  ７４０はＵＥ１のＰＨの第１のＰＦにおいてページＰ２を送信する。図６のタイムラインに示されるように各ｅＮＢがＨ−ＳＦＮ０からハイパーフレームのカウントを開始する時刻は変化することができるので、ｅＮＢ２  ７４０によりサービスされるセル内のＵＥ１のＰＨの第１のＰＦはｅＮＢ１  ７２０（上記７２６参照）によりサービスされるセル内のＵＥ１のＰＨの第１のＰＦとは異なる時刻に生じることができる。
【００８０】
[0096]７３０において、ｅＮＢ１７２０はＵＥ１からページＰ３への応答を受信する。
【００８１】
ｅＮＢ１  ７２０は時刻７３２においてわずかな時間の後でＭＭＥ７０２に応答を報告する。
【００８２】
[0097]７１６において、ｅＮＢ１  ７２０からＵＥ１の応答のレポートを受信することに応答して、ＭＭＥ７０２はＵＥ１に関するページをキャンセルしＵＥ１に関するデータをＵＥ１へ配信するためにｅＮＢ１  ７２０に送信する。７１８において、ＭＭＥ７０２は、ＵＥ１に関するデータを送信しｅＮＢ１  ７２０に対してページＰ５およびＰ７をキャンセルするためのコマンドを送信することができる。また７１８において、ＭＭＥ７０２はｅＮＢ２  ７４０に対してページＰ４、Ｐ６、Ｐ８をキャンセルするためのコマンドを送信することができる。
【００８３】
[0098]本開示の態様に従って、ｅＮＢによりサービスされるＵＥｓのシステム情報変更境界に基づいてシステム情報更新を送信するように決定することができる。上述したように、ｅＤＲＸで動作するＵＥｓはＵＥｓに割り当てられたｅＤＲＸサイクルに基づいてそれらのシステム情報変更境界を決定することができる。ｅＮＢはサービスされるＵＥｓがいつページング応答ウィンドウ内にいるかに基づいてシステム情報変更を実行し送信するように決定することができるので、ｅＮＢはＵＥｓをページし、システム情報変更を受信するためにＵＥｓをウェークアップすることができる。本開示の態様に従って、システム情報変更期間境界はＳＦＮmod m=0であるＳＦＮ値により定義され、ここで、ｍは変更期間を備える無線フレームの数である。
【００８４】
[0099]ｅＤＲＸ  ＵＥｓとノーマル（例えば、レガシー）ＤＲＸ  ＵＥｓがセル上にキャンプすると(camped)、ｅＤＲＸ  ＵＥｓのデフォルトＤＲＸとノーマルＤＲＸ  ＵＥｓのデフォルトサイクルは異なる。本開示の態様に従って、別個のブロードキャストコントロールチャネル（ＢＣＣＨ）変更期間はｅＤＲＸ  ＵＥｓに関するブロードキャストであり得る。ｅＤＲＸ  ＵＥｓに関する別箇のＢＣＣＨ変更期間をブロードキャストするための第１の技法はｅＮＢがｅＤＲＸ  ＵＥｓに関する別個の値をシグナリングすることである。別個の値はＢＣＣＨを介してシステム変更を受信するためにアウェーク(awake)を維持するために、変更時間期間、T_mod_eDRXおよび変更時間期間の数、K_eDRXを備えることができる。次に、ｅＤＲＸに関するＢＣＣＨ変更時間期間は、BCCH_modif_period=T_mod_eDRX K_eDRXとして計算することができる（たとえば、ＵＥおよび／またはｅＮＢにより）。
【００８５】
[00100]ｅＤＲＸ  ＵＥｓに関する別個のＢＣＣＨ変更期間をブロードキャストするための第２の技法は、ｅＮＢがノーマルＤＲＸパラメータT_modおよびＫを変更するために新しいパラメータC_eDRXをシグナリングすることである。ｅＤＲＸに関するＢＣＣＨ変更時間期間はBCCH_modif_period=C_eDRX (T_mod K)として（例えば、ＵＥおよび／またはｅＮＢにより）計算されることができる。BCCH_modif_period = C_eDRX (T_mod K) 例えば、 BCCH_modif_period = C_eDRX (BCCH_modif_period_for_normal_DRX).
[00101]本開示の態様に従って、ｅＤＲＸ  ＵＥｓに関する変更期間境界はノーマル（例えば、レガシー）ＤＲＸ  ＵＥｓの変更期間境界とそろえる(aligned)ことができる。ｅＤＲＸ  ＵＥｓに関するＢＣＣＨ変更期間はノーマル（例えば、レガシー）ＤＲＸ  ＵＥｓのＢＣＣＨ変更期間の整数倍であるように制限されることができる。この技法を用いると、ｅＮＢはノーマル（例えば、レガシー）ＤＲＸ  ＵＥｓとｅＤＲＸ  ＵＥｓの両方に影響を及ぼす可能性のあるいかなるシステム情報変更もノーマル（例えば、レガシー）ＤＲＸ  ＵＥｓおよびｅＤＲＸ  ＵＥｓに関するそろえられた境界でのみスケジュールされることを保証することができる。
【００８６】
[00102]いくつかのケースにおいて、システム情報パラメータに対する変更はノーマルＤＲＸ  ＵＥｓに対してタイムクリティカル(time critical)であるけれども、ｅＤＲＸ  ＵＥの動作に関して最小の時間またはまったく影響を及ぼさない。すなわち、あるシステム情報パラメータに関して、パラメータに対する変更はｅＤＲＸ  ＵＥｓに対して最小のまたはまったく影響を及ぼすことなく、ノーマルＤＲＸ  ＵＥの効率的な動作をサポートするためにできる限り早く行わなければならない。これらのシステム情報パラメータに関して、ｅＤＲＸ  ＵＥｓおよびノーマル（例えば、レガシー）ＤＲＸ  ＵＥｓで動作するｅＮＢはｅＤＲＸ  ＵＥ  ＢＣＣＨ変更期間を待つことなく(例えば上述したように)パラメータを更新することができる。ｅＮＢはノーマルＤＲＸ  ＵＥ  ＢＣＣＨ変更境界でシステム情報パラメータを変更することができるので、ノーマルＤＲＸ  ＵＥｓは更新されたシステム情報を獲得するためにページングされることができる。上述したように、ページングされたＵＥｓは次にウェークアップし、更新されたシステム情報を獲得する（例えば、システム情報ブロック（ＳＩＢ）を受信する）。
【００８７】
[00103]本開示の態様に従って、ｅＮＢはｅＤＲＸ  ＵＥへのページングメッセージにおいてｅＮＢがシステム情報（例えば、システム情報パラメータ）を更新したことを示すことができる。ｅＮＢがシステム情報を更新したことを示すページを受信するｅＤＲＸ  ＵＥはウェークアップしてシステム情報を獲得する試みを開始することができる。上述したように、ｅＮＢがｅＤＲＸ  ＢＣＣＨ変更境界を待つことなく、システム情報を更新したときｅＮＢがシステム情報を更新したことをページングメッセージ内で示すことができる。ｅＤＲＸ  ＢＣＣＨ変更境界を待たずにシステム情報を更新することにより、ｅＮＢはより効率的にノーマル（例えば、レガシー）ＤＲＸ  ＵＥｓをサポートすることができる。
【００８８】
[00104]図８はノーマル（例えば、レガシー）ＤＲＸ  ＵＥｓとｅＤＲＸ  ＵＥｓに関する例示タイムライン８００を図示する。タイムライン８０２はノーマル（例えば、レガシー）ＤＲＸ  ＵＥｓに関するものであり、タイムライン８０４はｅＤＲＸ  ＵＥｓに関するものである。図示されるように、ノーマルＤＲＸ  ＵＥｓとｅＤＲＸ  ＵＥｓの両方に影響を及ぼす可能性があるシステム情報変更はそろえられた境界８０６、８０８の１つでｅＮＢによりスケジュールされる。
【００８９】
[00105]図９は本開示のある態様に従って、上述したように、ｅＤＲＸを実行するＵＥｓで動作するようにＢＳ（例えば、ＢＳ１１０）により実行されることができる例示動作を図示する。
【００９０】
[00106]ブロック９０２において、ＢＳはＵＥの識別（ＩＤ）に基づいてユーザ機器（ＵＥ）をページングするために少なくとも１つのページングハイパーフレームを決定し、ページングハイパーフレームは各々が多数の無線フレームにまたがる周期的に生じるハイパーフレームのセットから決定される。ブロック９０４において、ＢＳはＵＥをページングするための要求を（例えば、ＭＭＥから）受信する。ブロック９０６において、ＢＳはページングハイパーフレームの無線フレーム内の少なくとも１つのサブフレームにおいて、ＵＥへページング信号を送信する。
【００９１】
[00107]本開示の態様に従って、ＢＳはＵＥのｅＤＲＸの期間に基づいてページングハイパーフレームを決定することができる。本開示のいくつかの態様において、ページングハイパーフレームの少なくとも１つのサブフレームにおいてページング信号を送信することは、ページングハイパーフレームの複数の無線フレームにおいてページング信号を送信することを備え、複数の無線フレームはレガシーＤＲＸに関する期間に基づいて決定される。
[00108]本開示の態様に従って、ＵＥに関するページングハイパーフレームは少なくともトラッキングエリア内でＵＥがキャンピングしている基地局とは無関係である。すなわち、トラッキングエリア内のＵＥに関するＰＨｓはＵＥがキャンプされるセルに関わらず、トラッキングエリアにまたがってコンスタントであるＨ−ＳＦＮｓで生じる。たとえば、ＵＥに関するＰＨｓはＵＥの識別子に基づいて決定されることができる。
【００９２】
[00109]本開示の態様に従って、トラッキングエリア内の異なるＢＳｓからのＵＥに関するページングハイパーフレームはページング応答ウィンドウ内に含まれる。すなわち、ＰＨｓはＵＥのＩＤに基づいて選択されるＨ−ＳＦＮインデックスを有するハイパーフレームで生じ、トラッキングエリア内の各ＢＳはトラッキングエリア内の１つおきのＢＳより遅い２つのハイパーフレーム未満の時刻でハイパーフレームのナンバリングを再開するので、トラッキングエリア内のＵＥに関するＰＨｓはすべておよそ２ハイパーフレームの長さの期間内に生じる。
【００９３】
[00110]図１０は本開示のある態様に従って、上述したように、ｅＤＲＸで動作するＵＥ（例えば、ＵＥ１２０）により実行されることができる例示動作１０００を図示する。
【００９４】
[00111]ブロック１００２において、ＵＥはＵＥの識別（ＩＤ）に基づいて基地局（ＢＳ）からのページング信号をモニタリングするための少なくとも１つのページングハイパーフレームを決定し、ページングハイパーフレームは各々が多数の無線フレームにまたがる定期的に生じるハイパーフレームのセットから決定される。ブロック１００４において、ＵＥはページングハイパーフレームの無線フレーム内の少なくとも１つのサブフレームでページング信号をモニタする。
【００９５】
[00112]図１１は本開示のある態様に従って、上述したように、ｅＤＲＸを用いたＵＥｓで動作するためのネットワークエンティティ（例えば、ＭＭＥまたはネットワークコントローラ１３０）により実行されることができる例示動作１１００を図示する。
【００９６】
[00113]ブロック１１０２において、ネットワークエンティティはＵＥの識別（ＩＤ）に基づいてユーザ機器（ＵＥ）をページングするための少なくとも１つのページングハイパーフレームを決定し、ページングハイパーフレームは各々が多数の無線フレームにまたがる定期的に生じるハイパーフレームのセットから決定される。ブロック１１０４において、ネットワークエンティティはページングハイパーフレームが生じると、１つまたは複数の基地局（ＢＳｓ）に他の時刻の場合と異ならせてＵＥをページするように要求する。
拡張された不連続受信における例示非同期ページング
[00114]上述したように、拡張された不連続受信（ｅＤＲＸ）を実行するＵＥｓで動作するとき、例えばｅＤＲＸを実行するページされたＵＥに連絡するネットワークのページの信頼性を改善するためにネットワークのＢＳｓ間で粗い同期を有することが望ましいかもしれない。本開示の態様に従って、ネットワークのＢＳｓはｅＤＲＸを実行するＵＥｓと動作しながら非同期のページングを実行することができる。
【００９７】
[00115]ＵＥがｅＤＲＸを実行しているとき、モバイルＵＥがページを紛失することを防止するためにネットワークのＢＳｓがおおよそ同期化されていることが望ましい。ある環境において、ネットワークがページングしているｅＤＲＸを実行するＵＥは最初のＢＳがＵＥをページする直前に第１のＢＳの
カバレージエリアから移動する可能性がある。ＵＥが入ったカバレッジエリアをサービスしている第２のＢＳが、ＵＥがカバレッジエリアに入る少し前にページを送信した場合、ＵＥは第１のＢＳおよび第２のＢＳの両方からのページを紛失する。これが起きる場合、ことによるとＵＥはＵＥの構成されたｅＤＲＸサイクルの期間を超える期間連絡できない(unreachable)可能性がある。
【００９８】
[00116]図１２は例示タイムライン１２００を用いて上述した状況を図示する。ｅＮＢ１、ｅＮＢ２およびｅＮＢ３に関する例示ｅＤＲＸページングサイクルはそれぞれ１２０２、１２０および１２０６で示される。図示されるように、ｅＮＢ１、ｅＮＢ２およびｅＮＢ３に関するｅＤＲＸページングサイクルは非同期である。１２０８において、ネットワークはＵＥ１をページすることを決定し、ページングコマンドをｅＮＢ１、ｅＮＢ２およびｅＮＢ３に送信する。例示タイムラインにおいて、ＵＥ１はｅＮＢ２によりサービスされている。ｅＮＢ３は１２１０でｅＮＢ３のページングハイパーフレームＰＨ３の期間にＵＥ１をページするが、ＵＥ１は現在ｅＮＢ３によりサービスされておらず、そのためＵＥ１はｅＮＢ３からのページを検出しない。１２１２において、ＵＥ１はｅＮＢ２からｅＮＢ３に再選択する。１２１４でｅＮＢ２のページングハイパーフレームＰＨ２が生じ、ｅＮＢ２はＵＥ１をページする。ＵＥ１はすでにｅＮＢ３に再選択されたので、ＵＥ１はｅＮＢ２からのページを検出しない。ｅＮＢ３に関するページングハイパーフレームが以前に発生したので、１２１０においてＵＥ１はｅＮＢ２とｅＮＢ３の両方からページングハイパーフレームを紛失した。ＵＥ１がｅＮＢ３のカバレッジエリアに留まっている場合、ＵＥ１はＰＨ３の次の発生迄ネットワークにより連絡することができず、ｅＤＲＸサイクルの期間よりも長い期間連絡できなかったであろう。
【００９９】
[00117]他の環境において、ＵＥは第１のＢＳからページを受信し、ページに応答し、そして第１のＢＳのカバレッジエリアから移動することができる。ＵＥがカバレッジエリアに入った後でＵＥが入ったカバレッジエリアをサービスしている第２のＢＳが同じページを送信する場合、ＵＥは第２のＢＳからのページに応答することができ、ＵＥが同じページに２度応答するような不必要なシグナリングを生じる結果となる。ネットワークのＢＳｓをおおよそ同期させることはこの状況が発生するのを防止することができる。
【０１００】
[00118]図１３は例示タイムライン１３００を用いて上述した状況を図示する。ｅＮＢ１とｅＮＢ２に関する例示ｅＤＲＸページングサイクルはそれぞれ１３０２と１３０４で示される。１３０８において、ネットワークはＵＥ２に関するデータがあると決定し、ＵＥ２をページすることを決定し、ページングコマンドをｅＮＢ１、ｅＮＢ２およびｅＮＢ３に送信する。例示タイムラインにおいて、ＵＥ２はｅＮＢ１によりサービスされている。１３１６においてｅＮＢ１のページングハイパーフレームＰＨ１の期間にＵＥ２をページする。ＵＥ２はｅＮＢ１からのページ(複数の場合もある)を検出して応答する。１３１８でＵＥ１はｅＮＢ１からｅＮＢ２へ再選択する。１３１４において、ｅＮＢ２のページングハイパーフレームＰＨ２が生じ、ｅＮＢ２はＵＥ２をページする。ＵＥ２はｅＮＢ２からのページに応答しＵＥ２がｅＮＢ１を介して受信したのと同じデータをｅＮＢ２を介して受信する。これが起きる場合、ｅＮＢ２によるページング、ＵＥ２による応答およびｅＮＢ２からデータ転送はすべて不必要なシグナリングである。
【０１０１】
[00119] 本開示の態様によれば、ＢＳｓが同期されていないネットワークにおいてｅＤＲＸを実行するＵＥは図１２を参照して上述したようにＵＥは複数のＢＳＳ（例えばＵＥ２）からのページに応答するのでＵＥ（例えば、ＵＥ１）がページ（例えば、ＵＥ１）を紛失したり、または不必要なシグナリングが生じる望ましくない状況を回避するために、ｅＤＲＸページモニタリングタイマTmonitor,eDRXを使用することができる。
【０１０２】
[00120]本開示の態様によれば、ＭＭＥはｅＤＲＸページモニタリングタイマ（例えば、Tmonitor,eDRX）およびＤＲＸページモニタリングタイマ（例えば、Tmonitor,DRX）を使用するようにｅＤＲＸを実行するＵＥを構成することができる。ＭＭＥはｅＤＲＸページモニタリングタイマ（例えば、Tmonitor,eDRX）を使用し、ｅＤＲＸページモニタリングタイマが満了前に実行することができる期間を構成するようにｅＤＲＸを実行するＵＥを構成することができる。すなわち、ｅＤＲＸページモニタリングタイマの満了に応答していくつかの行動（例えば、ページングハイパーフレーム内に無い１つまたは複数の無線フレーム内の別のページング信号をモニタリングすること、ノンアクセスストレータム（ＮＡＳ）プロシージャをトリガすること、無線リソースコントロール（ＲＲＣ）プロシージャをトリガすること）をＵＥが取る前にｅＤＲＸページモニタリングタイマが実行されるための最大時間期間でｅＤＲＸを実行するＵＥを構成することができる。ＭＭＥはまたＤＲＸページモニタリングタイマが満了前に実行することができる期間を構成することができる。
【０１０３】
[00121]ＭＭＥにより構成されることの代替として、１つまたは両方のタイマー（Tmonitor,eDRXおよびTmonitor,DRX）の値は例えば、ネットワークによりすでに構成された他のｅＤＲＸに基づいて暗黙的に指定されるかまたは配信されることができる。
【０１０４】
[00122]本開示の態様によれば、ｅＤＲＸを実行しｅＤＲＸページモニタリングタイマを使用するＵＥは、ＵＥが成功裏にページング機会（例えば、ページを受信することまたは潜在的なページに関する指定されたページング機会をモニタすることができること）をモニタする機会毎にｅＤＲＸページモニタリングタイマをスタート（例えば、再スタート）させることができる。同じページングハイパーフレーム内の複数のページ反復はＵＥにより単一ページング機会として取り扱われることができる。ｅＤＲＸを実行しｅＤＲＸページモニタリングタイマを使用するＵＥはまたＵＥが無線リソース制御（ＲＲＣ）またはノンアクセスストレータム（ＮＡＳ）プロシージャを完了しアイドル状態に戻る機会毎にｅＤＲＸページモニタリングタイマをスタート（例えば、リスタート）することができる。
【０１０５】
[00123]本開示の態様によれば、ｅＤＲＸを実行しているＵＥのｅＤＲＸページモニタリングタイマが満了する場合、ＵＥはＤＲＸページモニタリングタイマの期間に等しい時間期間（例えば２０秒）レガシーＤＲＸを実行するようにフォールバック(fall back)することができる。ＤＲＸページモニタリングタイマの期間レガシーＤＲＸを実行した後で（例えば、ＵＥのレガシーＤＲＸサイクル上でページをモニタリングする）、ＵＥはｅＤＲＸを実行することに戻りｅＤＲＸページモニタリングタイマをリスタートすることができる。
【０１０６】
[00124]本開示の態様によれば、ｅＤＲＸを実行しているＵＥのｅＤＲＸページモニタリングタイマが満了した場合、ＵＥはＮＡＳまたはＲＲＣプロシージャをトリガすることができる（例えば、トラッキングエリアアップデート（ＴＡＵ）、サービスリクエスト（ＳＲ）、またはＲＲＣ接続要求）。ＮＡＳまたはＲＲＣプロシージャを実行した後、ＵＥはｅＤＲＸを実行することに戻りｅＤＲＸページモニタリングタイマをリスタートすることができる。
【０１０７】
[00125]本開示の態様によれば、ｅＤＲＸを実行しているＵＥがＵＥのｅＤＲＸサイクルに近接した時間期間内にページ要求に応答しないとき（例えば、ＵＥのｅＤＲＸサイクルプラス２秒またはＵＥのｅＤＲＸサイクルプラス１００ミリ秒）、ＭＭＥは１つまたは複数のＢＳｓ（例えば、トラッキングエリア内のＢＳｓのすべて）にレガシーＤＲＸモードでＵＥをページするように指示することができる。
【０１０８】
[00126]図１４は、本開示の態様に従って、例示タイムライン１４００において、ＢＳｓがページングハイパーフレームサイクルに対して同期されていないネットワークにおいてｅＤＲＸを実行するＵＥにより実行されることができる例示動作を図示する。セル１、セル２、およびセル３に関する例示ｅＤＲＸページングサイクルはそれぞれ１４０２、１４０４および１４０６で示される。１４０８においてセル１によりサービスされているｅＤＲＸを実行するＵＥはセル１のページングパーフレームＰＨ１内のページをモニタすることができる。上述したように、ＵＥはページを成功裏にモニタリングすることに応答してｅＤＲＸページモニタリングタイマ（例えば、Tmonitor,eDRX）をリスタートする。１４１０でＵＥはセル２に再選択する。１４１２でＵＥはセル２のページングハイパーフレームＰＨ２内のページをモニタする。上述したように、ＵＥはＵＥがページを成功裏にモニタリングすることに応答してＵＥのｅＤＲＸページモニタリングタイマ（例えば、Tmonitor,eDRX）をリスタート（例えば、ストップしリセットする）。１４１４でＵＥはセル３に再選択する。１４１６でＵＥのｅＤＲＸページモニタリングタイマ（例えば、Tmonitor,eDRX）はＵＥがセル３からのページをモニタすることができる前に満了する。上述したように、ＵＥはＵＥのｅＤＲＸページモニタリングタイマ（例えば、Tmonitor,eDRX）が満了することに応答してレガシーＤＲＸページをモニタリングすることにフォールバックし、ＤＲＸページモニタリングタイマ（例えば、Tmonitor,DRX）をスタートさせる。ＤＲＸページモニタリングタイマが満了すると、ＵＥはｅＤＲＸを実行することに戻りｅＤＲＸページモニタリングタイマをリスタートする。
【０１０９】
[00127]本開示の態様によれば、ｅＤＲＸを実行するＵＥはセルからのページに応答し、そのページに応答することに応答してある時間期間ページングを無視することができる。この状況においてある時間期間ページングを無視するＵＥはネットワークエンティティ（例えば、ＭＭＥ）からの同じイニシャル要求からトリガされた異なるＢＳｓからのページに応答することを回避することができる。本開示の態様によれば、ＵＥがページを無視する時間期間はネットワークエンティティによりＵＥに供給されたｅＤＲＸ構成の一部としてＵＥ上で構成されることができる。さらに、または代替的にＵＥがページを無視する時間期間はＢＳを介してネットワークエンティティからＵＥに動的にシグナリングされることができる（例えば、サービスリクエスト（ＳＲ）プロシージャの一部として）。また、追加的にまたは代替的にＵＥがページを無視する時間期間はＵＥが構成されるｅＤＲＸサイクル（例えば、ｅＤＲＸサイクルの長さ）に基づいて決定されたデフォルト値または暗黙値であり得る。
【０１１０】
[00128]本開示の態様によれば、一度ＵＥがページに応答すると、ＭＭＥはトラッキングエリア内のＢＳｓ（例えばｅＮＢｓ）にページキャンセル通知を送信することができる。この通知を受信すると、ＢＳｓ（例えばｅＮＢｓ）はＵＥに関する任意のペンディングページをキャンセルする。ページ送信をキャンセルすることにより、ＵＥが重複されたページに応答する上述した問題が回避されることができる。
【０１１１】
[00129]代替的にまたは付加的にネットワークエンティティ（例えば、ＭＭＥ）は基地局へのページ要求に第１のタグまたはシーケンス番号を含めることができる。ｅＤＲＸを実行するＵＥは第１のタグまたはシーケンス番号を含むセルからページに応答し、次に同じ第１のタグまたはシーケンス番号を含むページング信号を無視することができる。ＵＥが第２のタグまたはシーケンス番号を含むページング信号を受信する場合ページング信号を無視することを停止することができる。
【０１１２】
[00130]本開示の態様によれば、ネットワークエンティティ（例えば、ＭＭＥ）はネットワークエンティティによりトリガされたｅＤＲＸを実行しているＵＥへのページ間でネットワークエンティティが待つであろう時間期間を決定することができる。すなわち、ｅＤＲＸを実行しているＵＥへのページをトリガしたネットワークエンティティはＵＥへの別のページをトリガする前にある時間期間待つであろう。上述したように、ネットワークエンティティはＵＥがページを無視する時間期間に基づいて時間期間の長さを決定することができる。
【０１１３】
[00131]ここに提供された種々の技法はセル獲得を実行することに関連した時間を改善することができ、その結果、デバイス性能を改善しおよび／または電力消費を低減することができる。
【０１１４】
[00132]ここにおいて使用される場合、項目のリスト「のうちの少なくとも１つ」というフレーズは、単一の要素を含む、それらの項目の任意の組み合わせを指す。例として、「Ａ、Ｂ、またはＣのうちの少なくとも１つ」は、Ａ、またはＢ、またはＣ、あるいはこれらの任意の組合せ（例えば、Ａ−Ｂ、Ａ−Ｃ、Ｂ−Ｃ、およびＡ−Ｂ−Ｃ）をカバーするように意図される。例として、「ａ、ｂ、またはｃのうちの少なくとも１つ」は、ａ、ｂ、ｃ、ａ−ｂ、ａ−ｃ、ｂ−ｃ、およびａ−ｂ−ｃ、ならびに複数の同一の要素を有する任意の組み合わせ（例えば、ａ−ａ、ａ−ａ−ａ、ａ−ａ−ｂ、ａ−ａ−ｃ、ａ−ｂ−ｂ、ａ−ｃ−ｃ、ｂ−ｂ、ｂ−ｂ−ｂ、ｂ−ｂ−ｃ、ｃ−ｃ、およびｃ−ｃ−ｃ、またはａ、ｂ、およびｃのその他任意の順序）をカバーするように意図される。
[00133]  前述された方法のさまざまな動作は、対応する機能を実行することができる任意の適切な手段によって実行され得る。手段は、回路、特定用途向け集積回路（ＡＳＩＣ）、またはプロセッサを含むがそれらに限定されない、様々なハードウェアおよび／またはソフトウェア／ファームウェアコンポーネント、並びに／あるいはモジュールを含み得る。一般に、図面に例示された動作が存在する場合、これらの動作は、任意の適切な同じ符番を付された対応するミーンズプラスファンクションコンポーネントによって行われることができる。
【０１１５】
[00134]例えば、決定する手段、ブーストする手段、構成する手段、低減する手段、抜け出す手段(means for exiting)、要求する手段、調停する手段、実行する手段、モニタリングする手段、サーチする手段、終了する手段、戻る手段、指示する手段、および／または表示する手段は図２に示されるユーザ端末１２０のコントローラ／プロセッサ２８０および／または受信プロセッサ２５８、および／または図２に示される基地局１１０のコントローラ／プロセッサ２４０および／または送信プロセッサのような１つまたは複数のプロセッサを含むことができる。受信する手段は図２に示されるユーザ端末１２０のアンテナ（複数の場合もある）２５２および／または受信プロセッサ(例えば、受信プロセッサ２５８)を備えることができる。送信する手段および／またはアナウンスする手段は図２に示されるｅＮＢ１１０のアンテナ（複数の場合もある）２３４および／または送信プロセッサ（例えば、送信プロセッサ２２０）を備えることができる。要求する手段および／または指示する手段は、ネットワークインタフェース、１つまたは複数のプロセッサ、および／または通信ユニット（例えば、通信ユニット２９４または通信ユニット２４４）を含むことができる。
【０１１６】
[00135]さまざまな異なる技術および技法のうちの任意のものを使用して、情報および信号が表されうることを、当業者は理解するだろう。例えば、上記説明の全体にわたって参照され得るデータ、命令、コマンド、情報、信号、ビット、シンボル、およびチップは、電圧、電流、電磁波、磁場または磁性粒子、光場または光粒子、あるいはこれらの組み合わせによって表され得る。
【０１１７】
[00136]当業者はさらに、本明細書の開示と関連して説明される様々な例示的な論理ブロック、モジュール、回路、およびアルゴリズムステップが電子ハードウェア、ソフトウェア／ファームウェア、またはそれらの組み合わせとして実装され得ることを理解するだろう。このハードウェアおよびソフトウェア／ファームウェアの互換性を明確に示すために、様々な実例となる構成要素、ブロック、モジュール、回路、およびステップが、一般に、それらの機能の観点から上述されている。このような機能が、ハードウェアとして実現されるかソフトウェア／ファームウェアとして実現されるかは、特定のアプリケーションおよびシステム全体に課せられる設計制約に依存する。当業者は、各々の特定のアプリケーションに関して、多様な方法で説明された機能をインプリメントすることができるが、このようなインプリメンテーションの決定は、本開示の範囲からの逸脱を引き起こしていると解釈されるべきでない。
【０１１８】
[00137]ここでの開示に関連して記述した、さまざまな例示的な論理ブロック、モジュール、および回路は、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラマブルロジックデバイス、ディスクリートゲートまたはトランジスタロジック、ディスクリートハードウェアコンポーネント、あるいは、ここで記述した機能を実行するように設計されているこれらの任意の組み合わせでインプリメントまたは実行されうる。汎用プロセッサは、マイクロプロセッサであることがあり得るが、その代わりに、プロセッサは、任意の従来のプロセッサ、コントローラ、マイクロコントローラ、またはステートマシンであり得る。プロセッサはまた、コンピューティングデバイスの組み合わせとして、例えば、ＤＳＰとマイクロプロセッサの組み合わせ、複数のマイクロプロセッサ、ＤＳＰコアを備えた１つまたは複数のマイクロプロセッサ、あるいは、このような構成の他の何らかのものとしてインプリメントされ得る。
【０１１９】
[00138]本明細書の開示に関連して説明されたアルゴリズムまたは方法のステップは、直接的にハードウェアで、プロセッサによって実行されるソフトウェア／ファームウェアモジュールで、またはそれらの組み合わせで具現化され得る。ソフトウェア／ファームウェアモジュールは、ＲＡＭメモリ、フラッシュメモリ、ＲＯＭメモリ、ＥＰＲＯＭメモリ、ＥＥＰＲＯＭ（登録商標）メモリ、位相変更メモリ（ＰＣＭ）、レジスタ、ハードディスク、リムーバブルディスク、ＣＤ−ＲＯＭ、または当技術分野で知られている任意の他の形態の記憶媒体に存在し得る。例示的な記憶媒体は、プロセッサが情報を記憶媒体から読み取り、情報を記憶媒体に書き込むことができるようにプロセッサに結合される。あるいは、記憶媒体は、プロセッサに組み込まれ得る。プロセッサおよび記憶媒体はＡＳＩＣに常駐しうる。ＡＳＩＣは、ユーザ端末内に常駐しうる。代替においては、プロセッサおよび記憶媒体は離散的なコンポーネントとしてユーザ端末内に常駐しうる。
【０１２０】
[00139]１つまたは複数の例示的な設計において、説明された機能は、ハードウェア、ソフトウェア／ファームウェア、またはそれらの組み合わせで実装され得る。ソフトウェア／ファームウェア内で実現される場合、機能は、コンピュータ可読媒体上の１つ以上の命令またはコードとして記憶または送信され得る。コンピュータ可読媒体は、１つの場所から別の場所へのコンピュータプログラムの転送を容易にする任意の媒体を含む通信媒体とコンピュータ記憶媒体との両方を含む。記憶媒体は、汎用コンピュータまたは特殊目的コンピュータによってアクセスできる任意の利用可能な媒体でありうる。限定ではなく、例として、このようなコンピュータ可読媒体は、ＲＡＭ、ＲＯＭ、ＥＥＰＲＯＭ、ＣＤ／ＤＶＤ、あるいはその他の光学ディスク記憶装置、磁気ディスク記憶装置又はその他の磁気記憶デバイス、あるいは、命令群又はデータ構造の形態で望ましいプログラムコード手段を搬送又は記憶するために使用されることができ、かつ、汎用又は特殊用途コンピュータ、あるいは汎用又は特殊用途プロセッサによってアクセスすることができるその他任意の媒体を備えうる。また、任意の接続は、コンピュータ可読媒体と厳密には称される。例えば、ソフトウェア／ファームウェアが、ウェブサイト、サーバ、あるいは、同軸ケーブル、ファイバ光ケーブル、ツイストペア、デジタル加入者ライン（ＤＳＬ）、または赤外線、無線、およびマイクロ波のようなワイヤレス技術を使用している他の遠隔ソースから送信される場合、同軸ケーブル、ファイバ光ケーブル、ツイストペア、ＤＳＬ、あるいは、赤外線、無線、およびマイクロ波のようなワイヤレス技術は、媒体の定義に含まれる。ここで使用したようなディスク（ｄｉｓｋおよびｄｉｓｃ）は、コンパクトディスク（ＣＤ）、レーザディスク(登録商標)、光ディスク、デジタル汎用ディスク（ＤＶＤ）、フロッピー（登録商標）ディスク、およびブルーレイ（登録商標）ディスクを含むが、一般的に、ディスク（ｄｉｓｋ）は、データを磁気的に再生する一方で、ディスク（ｄｉｓｃ）はデータをレーザによって光学的に再生する。先のものを組み合わせたものもまた、コンピュータ可読媒体の範囲内に含まれるべきである。
【０１２１】
[00140]本開示の先の説明は、当業者が本開示を製造または使用することを可能にするために提供される。本開示に対するさまざまな変更は、当業者に容易に理解され、ここで定義される一般的な原理は、本開示の主旨および範囲から逸脱することなく、他の変化に適用されることができる。よって、本開示は、ここで説明される例および設計に限定されるように意図されたものではなく、ここで開示された原理および新規の特徴と矛盾しない最大範囲であると認められるべきである。
以下に本願の出願当初の特許請求の範囲に記載された発明を付記する。
［Ｃ１］  基地局（ＢＳ）によるワイヤレス通信のための方法であって、ユーザ機器（ＵＥ）の識別（ＩＤ）に基づいて前記ＵＥをページングするための少なくとも１つのページングハイパーフレームを決定することと、ここで前記少なくとも１つのハイパーフレームは各々が多数の無線フレームにまたがる周期的に生じるハイパーフレームのセットから決定される、
前記ＵＥをページするための要求を受信することと、および
前記ページングハイパーフレームの無線フレーム内の少なくとも１つのサブフレームで前記ＵＥにページング信号を送信することと、を備える、方法。
［Ｃ２］  前記少なくとも１つのページングハイパーフレームはまた前記ＵＥの拡張された不連続受信（ｅＤＲＸ）の期間に基づいて決定される、Ｃ１の方法。
［Ｃ３］  ページングハイパーフレームの少なくとも１つのサブフレームで前記信号をページングすることは、
前記ページングハイパーフレームの複数の無線フレームでページング信号を送信すること、ここで前記複数の無線フレームはレガシーＤＲＸの期間に基づいて決定される、を備える、Ｃ２の方法。
［Ｃ４］  同じページング信号が前記複数の無線フレームの各無線フレームで送信される、Ｃ３の方法。
［Ｃ５］  前記少なくとも１つのページングハイパーフレームは各々がｅＤＲＸの期間に基づいて決定される複数のページングハイパーフレームを備える、Ｃ２の方法。
［Ｃ６］  前記ページング信号を送信した後に前記ＵＥのページングをキャンセルする要求をネットワークエンティティから受信することと、
前記要求に応答してさらなるページング信号の送信をキャンセルすることと、をさらに備える、Ｃ１の方法。
［Ｃ７］  ｅＤＲＸ  ＵＥｓをサポートするセルに関するシステム情報を更新することを決定することと、
ｅＤＲＸにおいてＵＥに関する拡張されたブロードキャストコントロールチャネル（ＢＣＣＨ）を決定することと、
前記ページング信号を前記ＵＥに送信する１つの拡張されたＢＣＣＨ変更期間内で前記システム情報を更新することと、をさらに備える、Ｃ１の方法。
［Ｃ８］  ノーマルＢＣＣＨ変更境界と時間整合された拡張されたＢＣＣＨ変更境界を決定することをさらに備えた、Ｃ７の方法。
［Ｃ９］  前記ＵＥに関するハイパーフレームをページングすることは、少なくともトラッキングエリア内において前記ＵＥがキャンピングしている基地局と無関係である、Ｃ１の方法。
［Ｃ１０］  トラッキングエリア内で異なるＢＳｓから前記ＵＥに関するハイパーフレームをページングすることは、ページング応答ウィンドウ内に含まれる、Ｃ１の方法。
［Ｃ１１］  前記トラッキングエリア内の他の基地局と前記ページング応答ウィンドウを同期するようにグローバルクロックと整合させるためにハイパーフレームシステムフレーム番号（Ｈ−ＳＦＮ）をイニシャライズすることをさらに備えた、Ｃ１０の方法。
［Ｃ１２］  システム情報に変化が生じたことを前記ページング信号を介して示すことをさらに備える、Ｃ１の方法。
［Ｃ１３］  前記要求はタグ番号を備え、
前記ページング信号を送信することは、前記ページング信号で前記タグ番号を送信することを備える、Ｃ１の方法。
［Ｃ１４］  ユーザ機器（ＵＥ）による無線通信の方法において、
前記ＵＥの識別（ＩＤ）に基づいて基地局（ＢＳ）からページング信号をモニタリングする少なくとも１つのページングハイパーフレームを決定することと、ここで、前記ページングハイパーフレームは各々が多数の無線フレームにまたがる周期的に生じるハイパーフレームのセットから決定される、
前記ページングハイパーフレームの無線フレーム内の少なくとも１つのサブフレームで前記ページング信号をモニタリングすることと、を備える、方法。
［Ｃ１５］  前記ページングハイパーフレームはまた前記ＵＥの拡張された不連続受信（ｅＤＲＸ）の期間に基づいて決定される、Ｃ１４の方法。
［Ｃ１６］  前記ページングハイパーフレームの少なくとも１つのサブフレームで前記ページング信号をモニタリングすることは、
前記ページングハイパーフレームの複数の無線フレームで前記ページング信号をモニタリングすることを備え、前記複数の無線フレームはレガシーＤＲＸに関する期間に基づいて決定される、Ｃ１５の方法。
［Ｃ１７］  前記少なくとも１つのページングハイパーフレームは各々が前記ｅＤＲＸの期間に基づいて決定される複数のページングハイパーフレームを備える、Ｃ１５の方法。
［Ｃ１８］  前記ＵＥに関するハイパーフレームをページングすることは、少なくともトラッキングエリア内で前記ＵＥがキャンピングしている基地局とは無関係である、Ｃ１４の方法。
［Ｃ１９］  トラッキングエリア内の異なるＢＳｓから前記ＵＥに関するハイパーフレームをページングすることはページング応答ウィンドウ内に含まれる(fall within)、Ｃ１４の方法。
［Ｃ２０］  前記少なくとも１つのサブフレームの後で前記ページングハイパーフレームのサブフレーム内のページング信号をモニタリングすることを中止することを決定することをさらに備える、Ｃ１４の方法。
［Ｃ２１］  前記決定は少なくとも部分的に信号品質メトリックに基づく、Ｃ２０の方法。
［Ｃ２２］  前記信号品質メトリックは信号対雑音比（ＳＮＲ）を備える、Ｃ２１の方法。
［Ｃ２３］  前記決定は、少なくとも部分的に前記ＵＥのモビリティに基づく、Ｃ２０の方法。
［Ｃ２４］  前記決定は前記ＵＥがセルに最後に選択されてから経過した時間期間に基づく、Ｃ２０の方法。
［Ｃ２５］  システム情報が変化したという表示を前記ページング信号を介して受信することと、
前記表示に応答してシステム情報を獲得することと、をさらに備える、Ｃ１４の方法。
［Ｃ２６］  タイマーを開始することと、
前記ＵＥが前記タイマーの満了前に前記ページング信号をモニタすることができない場合、前記ページングハイパーフレーム内にはない１つまたは複数の無線フレーム内の別のページング信号をモニタリングすることと、をさらに備える、Ｃ１４の方法。
［Ｃ２７］  前記ＵＥが、
前記ページング信号をモニタすることと、
前記ページング信号または前記他のページング信号を受信すること、の少なくとも１つを実行する場合、前記タイマーをリスタートすることをさらに備える、Ｃ２６の方法。
［Ｃ２８］  タイマーを開始することと、
前記ＵＥが前記タイマーの満了前に前記ページング信号をモニタすることができない場合、ノンアクセスストレータム(non-access stratum)（ＮＡＳ）プロシージャをトリガすることをさらに備える、Ｃ１４の方法。
［Ｃ２９］  前記ＵＥが前記ＮＡＳプロシージャを完了する場合前記タイマーをリスタートすることをさらに備える、Ｃ２８の方法。
［Ｃ３０］  タイマーを開始することと、
前記タイマーの満了前に前記ページング信号を前記ＵＥがモニタできない場合、無線リソースコントロール（ＲＲＣ）プロシージャをトリガすることをさらに備える、Ｃ１４の方法。
［Ｃ３１］  前記ＵＥが前記ＲＲＣプロシージャを完了する場合前記タイマーをリスタートすることをさらに備える、Ｃ３０の方法。
［Ｃ３２］  前記ページング信号を受信することと、
ある期間のタイマーを開始することと、
前記タイマーの満了まで前記ページング信号をモニタリングすることを控えることをさらに備える、Ｃ１４の方法。
［Ｃ３３］  前記タイマーの前記期間は、
拡張された不連続受信（ｅＤＲＸ）構成の一部およびダイナミックシグナリングの少なくとも１つで受信される、Ｃ３２の方法。
［Ｃ３４］  拡張された不連続受信（ｅＤＲＸ）構成に基づいて前記タイマーの前記期間を決定することをさらに備える、Ｃ３２の方法。
［Ｃ３５］  前記ページング信号を受信することと、
前記ページング信号に含まれるタグ番号を決定することと、
前記同じタグ番号を含む他のページング信号を無視することと、をさらに備える、Ｃ１４の方法。
［Ｃ３６］  ユーザ機器（ＵＥ）の識別（ＩＤ）に基づいて前記ＵＥをページングするための少なくとも１つのページングハイパーフレームを決定することと、ここで、前記ページングハイパーフレームは各々が多数の無線フレームにまたがる周期的に生じるハイパーフレームのセットから決定される、
前記ページングハイパーフレームが生じると他の時刻の場合と異ならせて前記ＵＥをページすることを１つまたは複数の基地局（ＢＳｓ）に要求することと、を備える、無線通信の方法。
［Ｃ３７］  前記要求は前記ページングハイパーフレームが発生すると、より積極的に(aggressively)前記ＵＥをページングすることを備える、Ｃ３６の方法。
［Ｃ３８］  トラッキングエリア内の異なるＢＳｓから前記ＵＥに関するハイパーフレームをページングすることはページング応答ウィンドウ内に含まれる、Ｃ３６の方法。
［Ｃ３９］  前記要求は前記ＵＥがどのように他の時間にページされるかに関連して前記ページング応答ウィンドウと一緒に前記ＵＥをさらに積極的にページングすることを備える、Ｃ３６の方法。
［Ｃ４０］  前記ページングハイパーフレームはまた前記ＵＥの拡張された不連続受信（ｅＤＲＸ）の期間に基づいて決定される、Ｃ３６の方法。
［Ｃ４１］  前記少なくとも１つのページングハイパーフレームは各々が前記ｅＤＲＸの期間に基づいて決定される、複数のページングハイパーフレームを備える、Ｃ３６の方法。
［Ｃ４２］  前記ＵＥからのページング応答を検出した後で前記ＵＥのページングをキャンセルするための要求を１つまたは複数のＢＳｓに送信することをさらに備える、Ｃ３６の方法。
［Ｃ４３］  前記ＵＥに関するハイパーフレームをページングすることは少なくともトラッキングエリア内で前記ＵＥがキャンピングしている基地局とは無関係である、Ｃ３６の方法。
［Ｃ４４］  前記ＵＥがある期間内にページに応答しなかったと決定することと、
１つまたは複数の基地局（ＢＳｓ）に前記ページングハイパーフレームの外部で前記ＵＥをページすることを指示すること、をさらに備える、Ｃ３６の方法。
［Ｃ４５］  前記ＵＥがページに応当したと決定することと、
前記ＵＥが前記ページに応当したとの決定に応答してタイマーを開始することと、
前記タイマーの満了まで前記ＵＥをページするために１つまたは複数の基地局（ＢＳｓ）に要求することを控えることと、をさらに備える、Ｃ３６の方法。
［Ｃ４６］  前記ＵＥがページに応当したと決定することと、
前記決定に応答して１つまたは複数の基地局に前記ＵＥに関するページングキャンセルを送信することと、をさらに備えるＣ３６の方法。
［Ｃ４７］  ページに含まれるべきタグ番号を決定することと、ここにおいて前記要求することは前記タグ番号を前記１つまたは複数のＢＳｓに送信することをさらに備える、Ｃ３６の方法。
［Ｃ４８］  ユーザ機器（ＵＥ）の識別（ＩＤ）に基づいて前記ＵＥをページングする少なくとも１つのページングハイパーフレームを決定する手段と、ここで、前記ページングハイパーフレームは各々が多数の無線フレームにまたがる定期的に生じるハイパーフレームのセットから決定される、
前記ＵＥをページするための要求を受信する手段と、
前記ページングハイパーフレームの無線フレーム内の少なくとも１つのサブフレームで前記ＵＥへページング信号を送信する手段と、を備える、無線通信に関する装置。
［Ｃ４９］  ＵＥの識別（ＩＤ）に基づいて基地局（ＢＳ）からのページング信号をモニタリングするための少なくとも１つのページングハイパーフレームを決定する手段と、ここで前記ページングハイパーフレームは各々が多数の無線フレームにまたがる定期的に生じるハイパーフレームのセットから決定される、
前記ページングハイパーフレームの無線フレーム内の少なくとも１つのサブフレームで前記ページング信号をモニタリングすることと、を備える、無線通信に関する装置。
［Ｃ５０］  ユーザ機器（ＵＥ）の識別（ＩＤ）に基づいて前記ＵＥをページングするための少なくとも１つのページングハイパーフレームを決定する手段と、ここで前記ページングハイパーフレームは各々が多数の無線フレームにまたがる定期的に生じるハイパーフレームのセットから決定される、
前記ページングハイパーフレームが生じると他の時刻の場合と異ならせて前記ＵＥをページすることを１つまたは複数の基地局（ＢＳｓ）に要求する手段と、を備える、無線通信に関する装置。
［Ｃ５１］  少なくとも１つのアンテナと、
ユーザ機器（ＵＥ）の識別（ＩＤ）に基づいて前記ＵＥをページングするための少なくとも１つのページングハイパーフレームを決定し、ここで前記ページングハイパーフレームは各々が多数の無線フレームにまたがる定期的に生じるハイパーフレームのセットから決定される、
前記ＵＥをページするための要求を受信し、
前記ページングハイパーフレームの無線フレーム内の少なくとも１つのサブフレームにおいて前記ＵＥに前記少なくとも１つのアンテナを介してページング信号を送信する、ように構成された少なくとも１つのプロセッサと、を備える基地局（ＢＳ）。
［Ｃ５２］  すくなくとも１つのアンテナと、
ユーザ機器（ＵＥ）の識別（ＩＤ）に基づいて基地局（ＢＳ）からページング信号をモニタするための少なくとも１つのページングハイパーフレームを決定し、ここで前記ページングハイパーフレームは各々が多数の無線フレームにまたがる定期的に生じるハイパーフレームのセットから決定される、
前記ページングハイパーフレームの無線フレーム内の少なくとも１つのサブフレームで前記ページング信号をモニタする、ように構成されるプロセッサとを備えたユーザ機器（ＵＥ）。
［Ｃ５３］  少なくとも１つのネットワークエンティティと、
ユーザ機器（ＵＥ）の識別（ＩＤ）に基づいて前記ＵＥをページングするための少なくとも１つのページングハイパーフレームを決定し、ここで、前記ページングハイパーフレームは各々が多数の無線フレームにまたがる定期的に生じるハイパーフレームのセットから決定される、
前記ページングハイパーフレームが生じると他の時刻の場合と異ならせて前記ＵＥをページするように１つまたは複数の基地局（ＢＳｓ）に要求する、ように構成されたプロセッサと、を備えるネットワークエンティティ。
［Ｃ５４］  ユーザ機器（ＵＥ）の識別（ＩＤ）に基づいて前記ＵＥをページングするための少なくとも１つのページングハイパーフレームを決定し、ここで前記ページングハイパーフレームは各々が多数の無線フレームにまたがる定期的に生じるハイパーフレームのセットから決定される、
前記ＵＥをページするための要求を受信し、
前記ページングハイパーフレームの無線フレーム内の少なくとも１つのサブフレームにおいて前記ＵＥにページング信号を送信する、ためのコンピュータ実行可能な命令を備えるコンピュータ可読媒体。
［Ｃ５５］  ＵＥの識別（ＩＤ）に基づいて基地局（ＢＳ）からページング信号をモニタするための少なくとも１つのページングハイパーフレームを決定し、ここで前記ページングハイパーフレームは各々が多数の無線フレームにまたがる定期的に生じるハイパーフレームのセットから決定される、
前記ページングハイパーフレームの無線フレーム内の少なくとも１つのサブフレームにおいて前記ページング信号をモニタするためのコンピュータ実行命令を備えるコンピュータ可読媒体。
［Ｃ５６］  ユーザ機器（ＵＥ）の識別（ＩＤ）に基づいて前記ＵＥをページングするための少なくとも１つのページングハイパーフレームを決定し、ここで前記ページングハイパーフレームは各々が多数の無線フレームにまたがる定期的に生じるハイパーフレームのセットから決定される、
前記ページングハイパーフレームが生じると、他の時刻の場合と異ならせて前記ＵＥをページするように１つまたは複数の基地局（ＢＳｓ）に要求する、ためのコンピュータ実行可能命令を備える、コンピュータ可読媒体。
【図１】
0006762960.tif 000002
【図２】
0006762960.tif 000003
【図３】
0006762960.tif 000004
【図４】
0006762960.tif 000005
【図５】
0006762960.tif 000006
【図６】
0006762960.tif 000007
【図７】
0006762960.tif 000008
【図８】
0006762960.tif 000009
【図９】
0006762960.tif 000010
【図１０】
0006762960.tif 000011
【図１１】
0006762960.tif 000012
【図１２】
0006762960.tif 000013
【図１３】
0006762960.tif 000014
【図１４】
0006762960.tif 000015